(57)【特許請求の範囲】
【請求項１】
所定のコンテンツと、所定の被写体を含む第１画像とを表示する表示部と、
前記コンテンツをスクロールさせる操作に応じて、当該コンテンツの表示態様を変更するとともに、前記第１画像を、前記被写体に対する視点位置を前記スクロールが行われた方向とは異なる軸方向にずらした第２画像に切替える切替部と
を有することを特徴とする情報表示装置。
【請求項２】
前記表示部は、前記第１画像と前記第２画像とが配置された多視点画像のうち前記第１画像が配置された領域と、前記コンテンツとを表示し、
前記切替部は、前記操作に応じて、前記コンテンツの表示態様を変更するとともに、前記多視点画像のうち表示される領域を、前記第１画像が配置された領域から前記第２画像が配置された領域に切替える
ことを特徴とする請求項１に記載の情報表示装置。 
【請求項３】
前記表示部は、前記多視点画像のうち前記第１画像が配置された領域の一部と、前記コンテンツとを表示し、
前記切替部は、前記操作に応じて、前記コンテンツの表示態様を変更するとともに、前記多視点画像のうち表示される領域を、前記第１画像が配置された領域の一部から前記第２画像が配置された領域の一部に切替える
ことを特徴とする請求項２に記載の情報表示装置。 
【請求項４】
前記表示部は、前記多視点画像のうち表示されている領域が選択された場合は、当該領域を含む画像の全体が表示されるまで、前記多視点画像の表示領域の広さを段階的に拡大することを特徴とする請求項３に記載の情報表示装置。 
【請求項５】
前記切替部は、前記多視点画像の表示領域の広さを拡大した際に、前記コンテンツ又は前記多視点画像に対する操作が行われた場合は、前記多視点画像のうち表示される領域を、表示されている画像とは異なる画像が配置された領域に切替えることを特徴とする請求項４に記載の情報表示装置。 
【請求項６】
前記表示部は、３次元の各軸方向に異なる視点位置から前記被写体を撮影した複数の画像を含む多視点画像のうち、いずれかの画像が配置された領域を表示することを特徴とする請求項２〜５のうちいずれか１つに記載の情報表示装置。 
【請求項７】
前記表示部は、選択されると所定のコンテンツに遷移可能な前記第１画像または前記第２画像を表示することを特徴とする請求項１〜６のうちいずれか１つに記載の情報表示装置。 
【請求項８】
前記表示部は、前記第１画像または前記第２画像が選択された場合は、所定の画像または所定の動画像を新たに表示することを特徴とする請求項１または２に記載の情報表示装置。 
【請求項９】
前記表示部は、前記第１画像または前記第２画像が選択された場合は、当該第１画像または当該第２画像よりも表示サイズが大きい画像であって、被写体に対する視点位置がそれぞれ異なる第３画像と第４画像とを含む新たな多視点画像を取得し、当該新たな多視点画像のうち前記第３画像が配置された領域を表示し、
前記切替部は、前記コンテンツまたは前記新たな多視点画像に対する操作に応じて、当該新たな多視点画像のうち表示される領域を、前記第３画像が配置された領域から前記第４画像が配置された領域に切替える
ことを特徴とする請求項１または２に記載の情報表示装置。 
【請求項１０】
前記切替部は、前記被写体に対する前記第１画像の視点位置を前記スクロールが行われた方向とは異なる軸方向にずらし、かつ、当該被写体と視点位置との距離が同程度である前記第２画像に、前記第１画像から切替えることを特徴とする請求項１〜９のうちいずれか１つに記載の情報表示装置。 
【請求項１１】
前記切替部は、前記第１画像の視点位置を前記スクロールが行われた方向とは異なる軸方向にずらし、かつ、当該被写体における時系列が前記第１画像とは異なる前記第２画像に、前記第１画像から切替えることを特徴とする請求項１〜１０のうちいずれか１つに記載の情報表示装置。 
【請求項１２】
前記表示部は、前記コンテンツが有する所定の領域に前記第１画像を配置して表示し、
前記切替部は、前記操作に従って、前記コンテンツのうち表示される領域と、前記第１画像が表示される画面上の位置とを変更しつつ、前記第１画像を前記第２画像に切替えることを特徴とする請求項１〜１１のうちいずれか１つに記載の情報表示装置。 
【請求項１３】
前記表示部は、前記コンテンツが有する所定の領域に前記第１画像を配置して表示し、
前記切替部は、前記操作に従って、前記コンテンツのうち表示される領域を変更しつつ、前記第１画像が表示される位置を変更することなく、当該第１画像を前記第２画像に切替えることを特徴とする請求項１〜１１のうちいずれか１つに記載の情報表示装置。 
【請求項１４】
前記表示部は、前記第１画像または前記第２画像の一部を表示し、前記コンテンツの端が表示されている際に、前記操作が行われた場合は、当該操作に従って、前記第１画像または前記第２画像の表示領域の広さを拡大することを特徴とする請求項１〜１１のうちいずれか１つに記載の情報表示装置。 
【請求項１５】
所定の被写体を含む第１画像と、前記被写体に対する視点位置が前記第１画像とは異なる第２画像とを表示する端末装置に対して制御情報を配信する配信部を備え、
前記制御情報は、
所定のコンテンツと、前記第１画像とを表示する表示手順と、
前記コンテンツをスクロールさせる操作に応じて、当該コンテンツの表示態様を変更するとともに、前記第１画像を、前記被写体に対する視点位置を前記スクロールが行われた方向とは異なる軸方向にずらした前記第２画像に切替える切替手順と
を前記端末装置に実行させることを特徴とする配信装置。 
【請求項１６】
前記表示手順は、前記第１画像と前記第２画像とが配置された多視点画像のうち前記第１画像が配置された領域と、前記コンテンツとを表示させ、
前記切替手順は、前記操作に応じて、前記コンテンツの表示態様を変更するとともに、前記多視点画像のうち表示される領域を、前記第１画像が配置された領域から前記第２画像が配置された領域に切替えさせる
ことを特徴とする請求項１５に記載の配信装置。 
【請求項１７】
情報表示装置が実行する情報表示方法であって、
所定のコンテンツと、所定の被写体を含む第１画像とを表示する表示工程と、
前記コンテンツをスクロールさせる操作に応じて、当該コンテンツの表示態様を変更するとともに、前記第１画像を、前記被写体に対する視点位置を前記スクロールが行われた方向とは異なる軸方向にずらした第２画像に切替える切替工程と
を含むことを特徴とする情報表示方法。 
【請求項１８】
コンピュータに、
所定のコンテンツと、所定の被写体を含む第１画像とを表示する表示手順と、
前記コンテンツをスクロールさせる操作に応じて、当該コンテンツの表示態様を変更するとともに、前記第１画像を、前記被写体に対する視点位置を前記スクロールが行われた方向とは異なる軸方向にずらした第２画像に切替える切替手順と
を実行させることを特徴とする情報表示プログラム。
【発明の詳細な説明】
【技術分野】
【０００１】
本発明は、情報表示装置、配信装置、情報表示方法および情報表示プログラムに関する。
【背景技術】
【０００２】
従来、スマートフォンやタブレット型ＰＣ（Personal  Computer）等のスマートデバイス、デスクトップ型のＰＣ等、任意の情報表示装置に複数の情報を表示させる技術が知られている。このような技術の一例として、画面上に所定のコンテンツを表示し、利用者からの操作に応じて、コンテンツの表示態様を変更することで、コンテンツに対する興味を生じさせる技術が知られている。例えば、画面上にウェブページと、広告に係るコンテンツとを表示し、利用者がウェブページのスクロール操作を行った場合は、コンテンツを表示する面積を拡大する技術が知られている。
【先行技術文献】
【特許文献】
【０００３】
【特許文献１】特開２０１４−０４９０９５号公報
【発明の概要】
【発明が解決しようとする課題】
【０００４】
しかしながら、上記の従来技術では、コンテンツに係る情報の訴求効果が必ずしも高いとは言えない場合がある。例えば、従来技術では、ウェブページのスクロール操作が行われた場合に、コンテンツを表示する面積を増大させるに過ぎず、利用者がコンテンツを注視していない場合は、コンテンツに係る情報が適切に伝わらない場合がある。
【０００５】
本願は、上記に鑑みてなされたものであって、コンテンツに係る情報の訴求効果を向上させる情報表示装置、配信装置、情報表示方法および情報表示プログラムを提供することを目的とする。
【課題を解決するための手段】
【０００６】
本願に係る情報表示装置は、所定のコンテンツと、所定の被写体を含む第１画像とを表示する表示部と、前記コンテンツに対する操作に応じて、当該コンテンツの表示態様を変更するとともに、前記第１画像を、前記被写体に対する視点位置が前記第１画像とは異なる第２画像に切替える切替部とを有することを特徴とする。
【発明の効果】
【０００７】
実施形態の一態様によれば、コンテンツに係る情報の訴求効果を向上させることができるという効果を奏する。
【図面の簡単な説明】
【０００８】
【図１】図１は、実施形態に係る端末装置の一例を示す図である。
【図２】図２は、実施形態に係る配信システムの構成例を示す図である。
【図３】図３は、実施形態に係る広告配信サーバの構成例を示す図である。
【図４】図４は、実施形態に係る広告データベースに格納された情報の一例を示す図である。
【図５】図５は、実施形態にかかる多視点画像の一例を説明する図である。
【図６】図６は、実施形態に係るコンテンツ配信サーバの構成例を示す図である。
【図７】図７は、実施形態に係る端末装置の構成例を示す図である。
【図８】図８は、実施形態に係る端末装置が多視点画像に含まれる画像の一部を表示する処理の一例を示す図である。
【図９】図９は、実施形態に係る端末装置が多視点画像を取得するタイミングの一例を説明する図である。
【図１０】図１０は、実施形態に係る端末装置が表示領域を拡大する処理の一例を示す図である。
【図１１】図１１は、実施形態に係る端末装置がスクロール操作に従って多視点画像を表示する位置を変更する処理の一例を示す図である。
【図１２】図１２は、時系列が異なる画像を含む多視点画像の一例を示す図である。
【図１３】図１３は、視点位置が各軸方向に異なる画像を配置した多視点画像の一例を説明する図である。
【図１４】図１４は、実施形態に係る端末装置が実行する表示変更処理の流れの一例を示すフローチャートである。
【図１５】図１５は、広告配信サーバの機能を実現するコンピュータの一例を示すハードウェア構成図である。
【発明を実施するための形態】
【０００９】
以下に、本願に係る情報表示装置、配信装置、情報表示方法および情報表示プログラムを実施するための形態（以下、「実施形態」と呼ぶ）について図面を参照しつつ詳細に説明する。なお、この実施形態により本願に係る情報表示装置、配信装置、情報表示方法および情報表示プログラムが限定されるものではない。また、以下の各実施形態において同一の部位には同一の符号を付し、重複する説明は省略される。
【００１０】
〔１．端末装置１００の一例〕
まず、図１を用いて、情報表示装置の一例である端末装置１００が実行する処理の一例について説明する。図１は、実施形態に係る端末装置の一例を示す図である。図１では、端末装置１００によって、ウェブページＣ１０と、複数の画像Ｃ２１〜Ｃ２５と、コンテンツＣ２６とが表示される例を示す。
【００１１】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の出力部１３０を有する。なお、端末装置１００には、タッチパネルが採用されているものとする。すなわち、端末装置１００の利用者は、指や専用ペンで出力部１３０の表示面をタッチすることにより各種操作を行う。
【００１２】
ウェブページＣ１０は、例えば、ニュース、天気予報、受信メールのインデックスや内容、フォトビュワー、その他各種のコンテンツが配置されたウェブページであり、ＨＴＭＬ（Hyper  Text  Markup  Language）やＸＭＬ（Extensible  Markup  Language）等で記述されたウェブページである。なお、以下の説明では、ウェブページＣ１０は、いわゆるポータルサイトのウェブページであるものとする。また、ウェブページＣ１０は、スマートデバイス用に最適化されたウェブページであり、横方向の表示サイズが、端末装置１００が有する画面の横方向の表示サイズと同じウェブページであるものとする。また、ウェブページＣ１０は、縦方向の表示サイズが、端末装置１００が有する出力部１３０の縦方向の表示サイズよりも長いウェブページであるものとする。
【００１３】
なお、ウェブページＣ１０は、例えば、ニュース、天気予報、受信メールのインデックスや内容、フォトビュワー、その他各種のコンテンツが独立したタイル状に配置されたコンテンツであり、タイル状に配置されたコンテンツごとに操作や更新等を行うことができるコンテンツであってもよい。かかる場合、ウェブページＣ１０に配置される各タイルの大きさや配置位置は、タイルごとに自動で変更されてもよく、利用者の操作に応じて変更されてもよい。なお、ウェブページＣ１０は、ＨＴＭＬ（Hyper  Text  Markup  Language）やＸＭＬ（Extensible  Markup  Language）等で記述されたウェブページであってもよい。このようなウェブページＣ１０には、検索キーワードを入力するための入力欄や、他のウェブページへのリンク等が含まれる。
【００１４】
多視点画像Ｃ２０は、複数の画像Ｃ２１〜Ｃ２５を含むコンテンツであり、例えば、広告にかかるコンテンツである。各画像Ｃ２１〜Ｃ２５は、ウェブページＣ１０と共に表示されるコンテンツであり、例えば、広告に係る画像である。例えば、各画像Ｃ２１〜Ｃ２５は、同一の被写体を段階的に異なる視点位置であって、被写体との距離が同程度の視点位置から撮像した画像であって、表示サイズが端末装置１００の画面よりも小さい画像である。
【００１５】
図１に示す例では、画像Ｃ２１は、女性の顔部分を右側から撮像した画像である。また、画像Ｃ２２は、女性の顔部分を右斜め前から撮像した画像である。また、画像Ｃ２３は、女性の顔部分を正面から撮像した画像である。また、画像Ｃ２４は、女性の顔部分を左斜め前から撮像した画像である。また、画像Ｃ２５は、女性の顔部分を左側から撮像した画像である。すなわち、画像Ｃ２１〜Ｃ２５は、女性の顔部分を注視点として、被写体と視点位置との距離を同程度に保ちながら、視点位置を女性の左側から右側へと段階的に移動させながら、女性の顔を撮像した複数の画像である。
【００１６】
コンテンツＣ２６は、利用者が多視点画像Ｃ２０を選択した際に画面上に表示されるコンテンツであり、例えば、画像Ｃ２１〜Ｃ２５と同様の広告にかかるコンテンツである。図１に示す例では、コンテンツＣ２６は、多視点画像Ｃ２０に含まれる各画像Ｃ２１〜Ｃ２５の被写体（以下、多視点画像Ｃ２０の被写体と記載する場合がある。）の全体を正面から撮像した画像であり、端末装置１００の画面と同じ表示サイズの画像である。なお、コンテンツＣ２６は、動画像であってもよい。また、コンテンツＣ２６は、多視点画像Ｃ２０の被写体とは異なる被写体を含む画像や動画像であってもよく、広告に関連する文字等が含まれる画像であってもよい。
【００１７】
なお、多視点画像Ｃ２０およびコンテンツＣ２６は、図１に示す態様に限定されるものではない。例えば、多視点画像Ｃ２０およびコンテンツＣ２６は、営利若しくは非営利の広告だけではなく、ボランティアの募集、公共広告、公共に対する通知、ウェブページＣ１０に係る情報の一部、その他任意のコンテンツであるものとする。すなわち、多視点画像Ｃ２０およびコンテンツＣ２６は、いわゆる広告関連の情報を含むコンテンツのみならず、利用者に興味を抱かせ、かかる多視点画像Ｃ２０またはコンテンツＣ２６に含まれる情報、または、かかる多視点画像Ｃ２０またはコンテンツＣ２６と関連するコンテンツ（例えば、ランディングページ等）に含まれる情報を広く知らせるものであれば、画像、動画像、文字、図形、記号、ハイパーリンク、その他任意のコンテンツを適用可能である。
【００１８】
端末装置１００は、ウェブページＣ１０の配信を受けると、広告に係るコンテンツの配信を行う広告配信サーバ２０に配信要求を送信する。そして、端末装置１００は、広告配信サーバ２０から広告に係るコンテンツとして、画像Ｃ２１〜Ｃ２５およびコンテンツＣ２６の配信を受けると、ウェブページＣ１０を表示するとともに、画像Ｃ２１をウェブページＣ１０とともに表示する。
【００１９】
〔２．端末装置１００が実行する処理〕
ここで、従来技術では、ウェブページＣ１０のスクロール操作が行われた際に、所定のコンテンツを表示する領域を拡大した。しかしながら、かかる従来技術では、コンテンツ領域の拡大に伴い、ウェブページの表示領域が狭くなるので、利用者がウェブページを注視している場合は、コンテンツに対する利用者の印象が悪化し、コンテンツに係る情報の訴求効果が適切に発揮できない場合がある。
【００２０】
そこで、端末装置１００は、以下の表示変更処理を行う。まず、端末装置１００は、ウェブページＣ１０と、多視点画像のうち画像Ｃ２１が配置された領域とを並べて表示する。そして、端末装置１００は、ウェブページＣ１０に対する操作に従って、ウェブページＣ１０の表示態様を変更するとともに、画像Ｃ２１を被写体に対する視点位置が異なる画像Ｃ２２に切り替える。
【００２１】
例えば、端末装置１００は、ウェブページＣ１０に対して上方向のスクロール操作が行われた場合は、ウェブページＣ１０を上方向にスクロールさせるとともに、画像Ｃ２１を画像Ｃ２２に切り替える。また、端末装置１００は、ウェブページＣ１０に対して上方向のスクロール操作が継続して行われると、スクロール操作が行われている間、画像Ｃ２１〜Ｃ２５のうち表示される画像を順次切り替える。例えば、端末装置１００は、画像Ｃ２２を画像Ｃ２３に切り替え、画像Ｃ２３を画像Ｃ２４に切り替え、画像Ｃ２４を画像Ｃ２５に切り替える。
【００２２】
また、端末装置１００は、ウェブページＣ１０に対して下方向のスクロール操作が行われた場合は、ウェブページＣ１０を下方向にスクロールさせるとともに、各画像Ｃ２１〜Ｃ２５を、上方向のスクロール操作が行われた際とは逆に、順次切り替える。具体的には、端末装置１００は、ウェブページＣ１０に対して下方向のスクロール操作が行われている間、画像Ｃ２５を画像Ｃ２４に切り替え、画像Ｃ２４を画像Ｃ２３に切り替え、画像Ｃ２３を画像Ｃ２２に切り替え、画像Ｃ２２を画像Ｃ２１に切り替える。
【００２３】
このように、端末装置１００は、ウェブページＣ１０に対する操作に従って、表示する画像を視点が異なる画像に切り替えるので、利用者の視界に視差を生じさせることができる。この結果、端末装置１００は、多視点画像Ｃ２０が表示される領域の広さを拡大せずとも、利用者の注意を無意識的に、ウェブページＣ１０から多視点画像Ｃ２０に向けさせることができる。このため、端末装置１００は、利用者の印象を悪化させることなく、多視点画像Ｃ２０に係る情報の訴求効果を向上させることができる。
【００２４】
また、端末装置１００は、多視点画像Ｃ２０に対して注意を向けた利用者が、多視点画像Ｃ２０が表示される領域をタップした場合、すなわち、多視点画像Ｃ２０を選択した場合は、コンテンツＣ２６を画面全体に表示する。また、端末装置１００は、利用者がコンテンツＣ２６を選択した場合は、所定のランディングページを表示する。この結果、端末装置１００は、利用者に対し、多視点画像Ｃ２０やコンテンツＣ２６に係る情報を利用者に対して印象付けることができる。このため、端末装置１００は、多視点画像Ｃ２０やコンテンツＣ２６に係る情報の訴求力を向上させることができる。
【００２５】
〔２−１．多視点画像Ｃ２０について〕
ここで、端末装置１００は、利用者に対して視差を表示させることができるような複数画像を切り替えるのであれば、任意の態様で画像の切り替えを表示することができる。例えば、端末装置１００は、画像Ｃ２１〜Ｃ２５を別個の画像データとして取得し、スクロール操作に従って、画像Ｃ２１〜Ｃ２５の切り替えを行ってもよい。
【００２６】
また、端末装置１００は、多視点画像Ｃ２０として、画像Ｃ２１〜Ｃ２５を横一列または縦一列に並べた一つの画像データの配信を受付け、かかる多視点画像Ｃ２０のうち、表示される領域を操作に応じて切替えることで、画像Ｃ２１〜Ｃ２５の切り替えを行ってもよい。例えば、端末装置１００は、画像Ｃ２１〜Ｃ２５を横一例に配置された画像を多視点画像Ｃ２０として取得した場合は、多視点画像Ｃ２０のうち、画像Ｃ２１が配置された領域を表示する。そして、端末装置１００は、スクロール操作が行われた場合は、多視点画像のうち表示される領域を、画像Ｃ２１が配置された領域から画像Ｃ２２が配置された領域に切替えることで、表示される画像を画像Ｃ２１から画像Ｃ２２に切替えてもよい。なお、かかる処理は、例えば、ＣＳＳ（Cascading  Style  Sheets）スプライト等の技術により実現されてもよい。
【００２７】
また、上述した例では、女性を撮影した複数の画像を画像Ｃ２１〜Ｃ２５とする例について説明したが、実施形態は、これに限定されるものではない。例えば、多視点画像Ｃ２０に含まれる画像の被写体は、人物、物、風景等であってもよく、広告対象の写真や広告文、企業ロゴ等が含まれていてもよい。また、多視点画像Ｃ２０に含まれる画像は、ＣＧ（Computer  Graphics）等の仮想的な被写体を含む画像であってもよい。すなわち、画像に含まれる被写体は、現実、仮想の別を問わず、また、単数、複数の別を問わない。
【００２８】
また、多視点画像Ｃ２０に含まれる画像は、被写体に対する視点が異なる画像ではなく、視点を中心として注視点を段階的に変更した画像であってもよい。例えば、多視点画像Ｃ２０は、視点を移動させることなく、視点の周囲にある風景等を、段階的に回転しながら撮影した複数の画像であってもよい。
【００２９】
また、多視点画像Ｃ２０は、撮影対象となった人物の服や持ち物の色彩や柄がそれぞれ異なる複数の画像であってもよい。また、多視点画像Ｃ２０は、視点の軌跡が円形を描くような画像ではなく、視点の軌跡が任意の直線、曲線を描くような複数の画像であってもよい。すなわち、多視点画像Ｃ２０は、段階的に視点が異なる画像等、順次切り替えを行った際に利用者に対して視差を生じさせ得る画像であれば、任意の画像を適用できる。
【００３０】
また、多視点画像Ｃ２０に含まれる画像は、例えば、視点を移動させながら、被写体を撮影した動画から切り出すことで作成された画像であってもよい。また、多視点画像Ｃ２０に含まれる画像は、実際に撮影された画像だけではなく、例えば、いくつかの画像から物体の全体像を推定し、推定した全体像を異なる視点から描画した画像であってもよい。
【００３１】
なお、以下の説明では、多視点画像Ｃ２０に係る情報と、コンテンツＣ２６に係る情報とは、同一の広告に係る情報であるものとするが、実施形態は、これに限定されるものではない。すなわち、多視点画像Ｃ２０に係る情報と、コンテンツＣ２６に係る情報とは、異なる広告に係る情報であってもよい。
【００３２】
〔２−２．端末装置１００が実行する処理の一例〕
以下、図１を用いて、端末装置１００が実行する表示変更処理の一例を説明する。なお、以下の説明では、端末装置１００が実行する表示変更処理の一例を第１状態〜第６状態に分けて説明する。
【００３３】
まず、端末装置１００は、ウェブページＣ１０と、多視点画像Ｃ２０と、コンテンツＣ２６との配信を受付ける。かかる場合、端末装置１００は、図１の第１状態に示すように、ウェブページＣ１０と、多視点画像Ｃ２０のうち画像Ｃ２１とを表示する。
【００３４】
ここで、端末装置１００は、利用者の指Ｆ１０により上方向のスクロール操作を受付けた場合は、スクロール操作に従って、ウェブページＣ１０を上方向にスクロールさせる。また、端末装置１００は、スクロール操作に従って、多視点画像Ｃ２０を表示する位置を移動させることなく、画像Ｃ２１を視点位置が異なる画像Ｃ２２に切替える。この結果、端末装置１００は、図１の第２状態に示すように、ウェブページＣ１０と画像Ｃ２２とを表示する。
【００３５】
また、端末装置１００は、利用者の指Ｆ１０により上方向のスクロール操作が継続された場合は、表示する画像を順次切り替える。すなわち、端末装置１００は、スクロール操作に従って、被写体に対する視点位置を順次切り替える態様で、被写体を表示する。例えば、端末装置１００は、図１の第３状態に示すように、ウェブページＣ１０を上方向にスクロールさせつつ、画像Ｃ２２を画像Ｃ２３に切り替える。同様に、端末装置１００は、スクロール操作が継続された場合は、図１の第４状態に示すように、画像Ｃ２３を画像Ｃ２４に切り替える。また、端末装置１００は、スクロール操作が継続された場合は、図１の第５状態に示すように、画像Ｃ２４を画像Ｃ２５に切り替える。
【００３６】
ここで、端末装置１００は、利用者が下向きのスクロール操作を行った場合は、画像Ｃ２１〜Ｃ２５のうち表示される画像を、上向きのスクロール操作が行われた場合とは逆の順で切り替える。例えば、端末装置１００は、図１に示す第５状態において下方向のスクロール操作を行った場合は、スクロール操作に従って、画像Ｃ２５、画像Ｃ２４、画像Ｃ２３、画像Ｃ２２、画像Ｃ２１の順に表示される画像を替えることで、図１に示す第４状態、第３状態、第２状態、第１状態へと表示態様を変更する。
【００３７】
また、端末装置１００は、画像Ｃ２１〜Ｃ２５のいずれかを利用者が選択した場合は、画面全体にコンテンツＣ２６を表示する。例えば、端末装置１００は、図１の第５状態に示すように、利用者の指Ｆ１０が、画像Ｃ２５が表示された領域を選択した場合は、図１の第６状態に示すように、画面全体にコンテンツＣ２６を表示する。そして、端末装置１００は、利用者がコンテンツＣ２６を選択した場合は、コンテンツＣ２６の表示を終了し、表示を元に戻す。例えば、端末装置１００は、コンテンツＣ２６が選択された場合は、第６状態から第５状状態へと表示態様を変更する。
【００３８】
ここで、コンテンツＣ２６には、所定のウェブページ（いわゆるランディングページ）へのリンクが設定されていてもよい。かかる場合、端末装置１００は、利用者がコンテンツＣ２６を選択した場合は、画像Ｃ２１〜Ｃ２５やコンテンツＣ２６に撮像された商品の販売ページ等、多視点画像Ｃ２０やコンテンツＣ２６に対応するランディングページを表示する。なお、端末装置１００は、いずれかの画像Ｃ２１〜Ｃ２５が選択された場合は、コンテンツＣ２６を表示することなく、選択された画像に対応するランディングページの表示を行ってもよい。
【００３９】
このように、端末装置１００は、ウェブページＣ１０に対する操作に従って、ウェブページＣ１０の表示態様を変更するとともに、画像Ｃ２１を、被写体に対する視点が異なる画像Ｃ２２に切り替える。この結果、端末装置１００は、ウェブページＣ１０の操作時に、ウェブページＣ１０とは異なる領域に視差を生じさせる結果、利用者の注意を多視点画像Ｃ２０に向けることができる。この結果、端末装置１００は、多視点画像Ｃ２０に係る情報の訴求効果を向上させることができる。
【００４０】
〔２−３．実行主体について〕
なお、上記では説明を省略したが、端末装置１００は、上述した表示変更処理を任意の手法で実現することができる。例えば、端末装置１００は、上述した表示変更処理を端末装置１００に実行させるアプリケーションをあらかじめダウンロードし、任意のタイミングでアプリケーションを実行することで、上述した処理を実現してもよい。
【００４１】
また、端末装置１００は、ウェブページＣ１０や多視点画像Ｃ２０、コンテンツＣ２６の配信と同時に、上述した表示変更処理を実行させる制御情報の配信を受け付ける。そして、端末装置１００は、制御情報に従って上記した表示変更処理を行う。以下、このような制御情報に従って、図１に示す表示変更処理を実行する端末装置１００等について説明する。なお、以下の説明では、多視点画像Ｃ２０、コンテンツＣ２６は、広告に係るコンテンツであるものとし、広告コンテンツと記載する場合がある。
【００４２】
〔３．配信システムの構成〕
以下、上記した表示処理を実現する端末装置１００等について説明する。まず、図２を用いて、実施形態に係る配信システム１の構成について説明する。図２は、実施形態に係る配信システムの構成例を示す図である。図２に示すように、配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図２に示す配信システム１には、複数台の端末装置１００や、複数台の広告主端末１０や、複数台の広告配信サーバ２０や、複数台のコンテンツ配信サーバ３０が含まれてもよい。
【００４３】
端末装置１００は、ウェブページを閲覧する利用者によって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ等である。端末装置１００は、利用者による操作にしたがって、コンテンツ配信サーバ３０からウェブページＣ１０を取得し、取得したウェブページＣ１０を表示する。また、端末装置１００は、ウェブページＣ１０とともに後述する取得命令が含まれる場合には、広告配信サーバ２０から多視点画像Ｃ２０を取得し、取得した多視点画像Ｃ２０のうち、所定の画像が含まれる領域をウェブページＣ１０とともに表示する。
【００４４】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、多視点画像Ｃ２０やコンテンツＣ２６等の広告に係るコンテンツ（以下、広告コンテンツと記載する。）として広告配信サーバ２０に入稿する。例えば、広告主端末１０は、広告コンテンツとして、多視点画像Ｃ２０に配置される複数の画像Ｃ２１〜Ｃ２５を広告配信サーバ２０に入稿する。また、広告主端末１０は、コンテンツＣ２６として、静止画像や、動画像や、テキストデータや、ランディングページを取得するためのＵＲＬ（Uniform  Resource  Locator）などを広告配信サーバ２０に入稿する。
【００４５】
なお、広告主は、広告コンテンツの入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００４６】
広告配信サーバ２０は、広告主端末１０から入稿された広告コンテンツを配信するサーバ装置である。例えば、広告配信サーバ２０は、端末装置１００から広告コンテンツの配信要求を受付けると、端末装置１００の場所や利用者の属性等から利用者と広告コンテンツとのマッチングを行い、マッチングの結果配信対象となる広告コンテンツを端末装置１００に配信する。また、広告配信サーバ２０は、配信対象となる広告コンテンツの表示態様を指示する制御情報を広告コンテンツとともに端末装置１００に配信する。この制御情報は、例えば、ＪａｖａＳｃｒｉｐｔ（登録商標）やＣＳＳ（Cascading  Style  Sheets）等のスクリプト言語により記述される。
【００４７】
コンテンツ配信サーバ３０は、端末装置１００にウェブページＣ１０を配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページＣ１０を端末装置１００に配信する。なお、コンテンツ配信サーバ３０は、各種情報が配置されたポータルサイト等のウェブページを配信するサーバであってもよい。
【００４８】
ここで、コンテンツ配信サーバ３０によって配信されるウェブページＣ１０には、取得命令が含まれる。例えば、ウェブページＣ１０を形成するＨＴＭＬファイル等には、広告配信サーバ２０のＵＲＬ等が取得命令として記述される。この場合、端末装置１００は、ＨＴＭＬファイル等に記述されているＵＲＬにアクセスすることで、広告配信サーバ２０から多視点画像Ｃ２０やコンテンツＣ２６を広告コンテンツとして取得する。
【００４９】
なお、コンテンツ配信サーバ３０から端末装置１００に配信される各種データは、実際にはウェブページを形成するＨＴＭＬファイルや画像、ウェブページとともに表示される動画像等である。
【００５０】
〔４．広告配信サーバの構成〕
次に、図３を用いて、実施形態に係る広告配信サーバ２０の構成について説明する。図３は、実施形態に係る広告配信サーバの構成例を示す図である。図３に示すように、広告配信サーバ２０は、通信部２１と、記憶部２２と、制御部２３とを有する。
【００５１】
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００５２】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００５３】
ここで、図４は、実施形態に係る広告データベースに格納された情報の一例を示す図である。図４に示した例では、広告データベース２４は、広告主ＩＤ、広告コンテンツ、インプレッション数、インプレッション保証数、対価といった項目を有する。なお、広告データベース２４は、コンテンツと利用者とのマッチングを行うための情報や、ＣＴＲ（Click  Through  Rate）といった情報をさらに記憶してもよい。
【００５４】
「広告主ＩＤ」は、広告主または広告主端末１０を識別するための識別情報を示す。「広告コンテンツ」は、広告主端末１０から入稿されたコンテンツ、すなわち、多視点画像Ｃ２０やコンテンツＣ２６等、広告に係るコンテンツを示す。なお、図４では「広告コンテンツ」に「Ｃ２０」〜「Ｃ６０」といった概念的な情報が格納される例を示したが、実際には、共通する情報を利用者に伝えようとする個別の画像、動画像、音声と画像、テキストデータ、ゲームのデータ、ゲーム形式の広告等、各コンテンツが所在するＵＲＬ、または、これらの格納場所を示すファイルパス名などが格納される。
【００５５】
ここで、広告データベース２４には、広告コンテンツとして、多視点画像Ｃ２０に含まれる画像Ｃ２１〜Ｃ２５が、一つの画像として登録される。例えば、図５は、実施形態にかかる多視点画像の一例を説明する図である。例えば、広告データベース２４には、画像Ｃ２１〜Ｃ２５が横一列に配置されたひとつの画像データが多視点画像Ｃ２０として登録される。かかる場合、広告配信サーバ２０は、多視点画像Ｃ２０を端末装置１００に配信する。そして、端末装置１００は、スクロール操作に従って、多視点画像Ｃ２０のうち表示される領域を切替えることで、ウェブページＣ１０とともに表示する画像の切替えを行う。
【００５６】
図４に戻り、説明を続ける。広告データベース２４には、広告コンテンツとして、多視点画像Ｃ２０やコンテンツＣ２６の他にも、多視点画像のうち表示する領域を指定する情報と、各コンテンツをどのような表示態様で表示するかを指示する制御指示が登録される。例えば、図４に示す例では、多視点画像Ｃ２０の名称として「０〜１９９、２００〜３９９、４００〜５９９、６００〜７９９、８００〜９９９」といった名称が付与されている。かかる名称に含まれる数値は、多視点画像Ｃ２０のうち表示する領域を示す情報であり、例えば、多視点画像Ｃ２０のうち、左下の頂点を原点とした際に、どの範囲を表示するかを示す情報である。
【００５７】
例えば、図４に示す多視点画像Ｃ２０の名称は、横方向に「０〜１９９」ピクセルまでが第１の画像（例えば、画像Ｃ２１）、「２００〜３９９」ピクセルまでが第２の画像（例えば、画像Ｃ２２）、「４００〜５９９」ピクセルまでが第３の画像（例えば、画像Ｃ２３）、「６００〜７９９」ピクセルまでが第４の画像（例えば、画像Ｃ２４）、「８００〜９９９」ピクセルまでが第５の画像である旨を示す。かかる名称は、例えば、広告主端末１０が多視点画像Ｃ２０を登録する際に、利用者によって設定される。
【００５８】
なお、多視点画像Ｃ２０の名称は、多視点画像Ｃ２０を広告データベース２４に登録する際に広告配信サーバ２０が自動で付与するものであってもよい。例えば、広告配信サーバ２０は、多視点画像Ｃ２０に含まれる画像Ｃ２１〜Ｃ２５を別個の画像データとして取得する。かかる場合、広告配信サーバ２０は、画像Ｃ２１〜Ｃ２５を配置した多視点画像Ｃ２０を生成するとともに、各画像Ｃ２１〜Ｃ２５の表示サイズから各画像Ｃ２１〜Ｃ２５が配置された位置を特定し、特定した位置を示す数値を多視点画像Ｃ２０の名称として設定してもよい。
【００５９】
制御指示には、多視点画像Ｃ２０を表示する際、どの範囲を最初に表示するか、どのような態様で表示する範囲を切り替えるか、どのような操作が行われた際に表示する範囲を切り替えるか、選択時にどのような表示を行うか等の情報が含まれている。かかる制御指示は、例えば、広告主が広告コンテンツを登録する際に、広告主によって任意の設定が行われる。
【００６０】
「インプレッション数」は、広告コンテンツが表示された回数を示す。また、「インプレッション保証数」は、対価に対して保証されている広告コンテンツの表示回数を示す。また、「対価」は、「インプレション保証数」だけ広告コンテンツが表示された際に広告主から支払われる報酬を示す。すなわち、広告配信サーバ２０は、広告に係るコンテンツをインプレッション保証型で配信するサーバである。
【００６１】
すなわち、図４では、広告主ＩＤ「Ｂ１０」によって識別される広告主が、多視点画像Ｃ２０〜Ｃ４０を広告コンテンツとして入稿した例を示している。また、図４では、広告コンテンツ「Ｃ２０」のインプレッション数が「１００００」であり、インプレッション保証数が「２００００」であり、インプレッション保証数だけコンテンツ「Ｃ２０」が表示された際の課金額が「ａａａ」である例を示している。
【００６２】
なお、広告コンテンツが選択される度に課金が行われるクリック課金形式で広告に係るコンテンツを配信する場合は広告データベース２４には、コンテンツが選択された回数や、コンテンツが選択された際の課金額等が登録される。また、配信要求を受信した際に、入札形式で広告コンテンツを選択し、選択した広告コンテンツを配信する場合は、広告データベース２４には、１インプレッションあたりの報酬として広告主が設定した広告料金である入札価格や、ＣＴＲ等が登録される。
【００６３】
図３に戻って、説明を続ける。制御部２３は、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、例えば、ＡＳＩＣ（Application  Specific  Integrated  Circuit）やＦＰＧＡ（Field  Programmable  Gate  Array）等の集積回路により実現される。
【００６４】
図３に示すように、制御部２３は、入稿受付部２５と、要求受付部２６と、広告選択部２７と、配信部２８とを有し、以下に説明する情報処理の機能や作用を実現または実行する。なお、制御部２３の内部構成は、図３に示した構成に限られず、後述する情報処理を行う構成であれば他の構成であってもよい。また、制御部２３が有する各処理部の接続関係は、図３に示した接続関係に限られず、他の接続関係であってもよい。
【００６５】
入稿受付部２５は、広告主端末１０から広告コンテンツの入稿を受け付ける。具体的には、入稿受付部２５は、広告コンテンツの入稿を受け付ける。また、入稿受付部２５は、多視点画像Ｃ２０と制御指示とを受付ける。かかる場合、入稿受付部２５は、多視点画像Ｃ２０および制御指示を、広告主ＩＤとを広告データベース２４に登録する。
【００６６】
なお、入稿受付部２５は、多視点画像Ｃ２０に含まれる各画像Ｃ２１〜Ｃ２５を個別の画像データとして取得した場合は、画像Ｃ２１〜Ｃ２５から多視点画像Ｃ２０を生成するとともに、各画像Ｃ２１〜Ｃ２５の表示サイズから、多視点画像Ｃ２０の名称、すなわち、多視点画像Ｃ２０のうち表示する領域を指定するための情報を生成する。そして、入稿受付部２５は、生成した情報と多視点画像Ｃ２０とを広告コンテンツとして広告データベース２４に登録する。なお、入稿受付部２５は、各画像Ｃ２１〜Ｃ２５を含む多視点画像Ｃ２０を一つのデータとして、広告主端末１０から取得してもよい。また、入稿受付部２５は、各画像Ｃ２１〜Ｃ２５のキャリブレーションを自動で実行してもよい。
【００６７】
ここで、入稿受付部２５は、広告主から動画像を取得した場合、かかる動画像から被写体に対する視点が段階的に異なる画像を生成し、生成した画像をまとめた多視点画像を広告データベース２４に登録してもよい。また、入稿受付部２５は、広告主から受け付けた画像等から被写体の形状等を推定し、推定した形状等に基づいて被写体に対する視点が段階的に異なる画像を生成し、生成した画像をまとめた多視点画像を広告データベース２４に登録してもよい。なお、かかる推定には、任意の画像処理技術が適用可能である。
【００６８】
要求受付部２６は、端末装置１００から広告コンテンツの取得要求を受け付ける。例えば、要求受付部２６は、広告コンテンツの取得要求として、ＨＴＴＰリクエストを受け付ける。
【００６９】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置や利用者の属性に基づいて、広告データベース２４に登録されている広告コンテンツから配信対象となる広告コンテンツのマッチングを行う。かかるマッチングにおいては、インプレッション数が、インプレッション保証数よりも多くなるように、広告コンテンツの選択が行われる。例えば、広告選択部２７は、インプレッション保証数とインプレッション数との差が最も大きい広告コンテンツを優先して選択する。なお、広告選択部２７は、入札価格またはＣＴＲが高い広告コンテンツや、入札価格およびＣＴＲの双方が高い広告コンテンツが優先的に選択されてもよい。そして、広告選択部２７は、配信対象として選択された広告コンテンツを配信部２８に出力する。
【００７０】
なお、広告選択部２７は、ウェブページが検索ページである場合には、検索ページに指定された検索キーワードとマッチする広告コンテンツを抽出する検索連動型広告と呼ばれる広告配信手法を用いてもよい。また、広告選択部２７は、利用者の属性情報（サイコグラフィック属性、デモグラフィック属性など）とマッチする広告コンテンツを抽出するターゲティング配信と呼ばれる広告配信手法を用いてもよい。
【００７１】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる制御指示を抽出する。そして、配信部２８は、抽出した制御指示が示す内容の表示変更処理を端末装置１００に実行させるための制御情報を生成する。その後、配信部２８は、生成した制御情報と、広告コンテンツとを端末装置１００に対して配信する。
【００７２】
〔５．コンテンツ配信サーバの構成〕
次に、図６を用いて、実施形態に係るコンテンツ配信サーバ３０の構成について説明する。図６は、実施形態に係るコンテンツ配信サーバの構成例を示す図である。図６に示すように、コンテンツ配信サーバ３０は、通信部３１と、コンテンツ記憶部３２と、制御部３３とを有する。
【００７３】
通信部３１は、例えば、ＮＩＣ等によって実現される。そして、通信部３１は、ネットワークＮと有線または無線で接続され、端末装置１００や広告配信サーバ２０との間で情報の送受信を行う。
【００７４】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。
【００７５】
制御部３３は、例えば、ＣＰＵやＭＰＵ等によって、コンテンツ配信サーバ３０内部の記憶装置に記憶されている各種プログラム（配信プログラムの一例に相当）がＲＡＭを作業領域として実行されることにより実現される。また、制御部３３は、例えば、ＡＳＩＣやＦＰＧＡ等の集積回路により実現される。
【００７６】
図６に示すように、制御部３３は、受付部３４と、配信部３５とを有し、以下に説明する情報処理の機能や作用を実現または実行する。なお、制御部３３の内部構成は、図６に示した構成に限られず、後述する情報処理を行う構成であれば他の構成であってもよい。また、制御部３３が有する各処理部の接続関係は、図６に示した接続関係に限られず、他の接続関係であってもよい。
【００７７】
受付部３４は、端末装置１００からウェブページの取得要求を受け付ける。例えば、受付部３４は、ウェブページの取得要求として、ＨＴＴＰリクエストを受け付ける。
【００７８】
配信部３５は、受付部３４によってウェブページの取得要求が受け付けられた場合に、ウェブページを端末装置１００に配信する。具体的には、配信部３５は、コンテンツ記憶部３２から取得要求対象のウェブページを取得し、取得したウェブページを端末装置１００に配信する。
【００７９】
また、配信部３５は、ウェブページＣ１０を生成し、生成したウェブページＣ１０を端末装置１００に配信する。かかる場合、端末装置１００は、ウェブページＣ１０を受信すると、広告配信サーバ２０に対して広告の配信要求を送信し、応答として受信した広告コンテンツを表示する。そして、端末装置１００は、利用者の操作に応じて、広告コンテンツを変更する表示変更処理を実行する。
【００８０】
〔６．端末装置の構成〕
次に、図７を用いて、実施形態に係る端末装置１００の構成について説明する。図７は、実施形態に係る端末装置の構成例を示す図である。図７に示すように、端末装置１００は、通信部１１０と、入力部１２０と、出力部１３０と、物理センサ１４０と、制御部１５０とを有する。
【００８１】
通信部１１０は、例えば、ＮＩＣ等によって実現される。そして、通信部１１０は、ネットワークＮと有線または無線で接続され、広告配信サーバ２０やコンテンツ配信サーバ３０との間で情報の送受信を行う。
【００８２】
入力部１２０は、利用者から各種操作を受け付ける入力装置である。例えば、入力部１２０は、キーボードやマウスや操作キー等によって実現される。出力部１３０は、各種情報を表示するための表示装置である。例えば、出力部１３０は、液晶ディスプレイ等によって実現される。なお、端末装置１００にタッチパネルが採用される場合には、入力部１２０と出力部１３０とは一体化される。また、以下の説明では、出力部１３０を画面と記載する場合がある。
【００８３】
物理センサ１４０は、端末装置１００の物理的な状態を検知するセンサである。例えば、物理センサ１４０は、端末装置１００の３軸方向の傾きを測定するジャイロセンサである。なお、物理センサ１４０は、ジャイロセンサに限定されるものではなく、例えば、加速度センサ、温度センサ、音量センサ、明度センサ等、任意のセンサが適用可能である。
【００８４】
制御部１５０は、例えば、ＣＰＵやＭＰＵ等によって、端末装置１００内部の記憶装置に記憶されている各種プログラム（表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【００８５】
図７に示すように、制御部１５０は、要求部１５１と、操作制御部１５２と、表示制御部１５３とを有し、以下に説明する情報処理の機能や作用を実現または実行する。なお、制御部１５０の内部構成は、図７に示した構成に限られず、後述する情報処理を行う構成であれば他の構成であってもよい。また、制御部１５０が有する各処理部の接続関係は、図７に示した接続関係に限られず、他の接続関係であってもよい。
【００８６】
要求部１５１は、操作制御部１５２からウェブページＣ１０のＵＲＬを受信した場合は、コンテンツ配信サーバ３０に対して受信したＵＲＬが示すウェブページＣ１０の取得要求を送信する。また、要求部１５１は、コンテンツ配信サーバ３０から受信したウェブページに取得命令が含まれる場合に、広告コンテンツの取得要求を広告配信サーバ２０に送信する。
【００８７】
操作制御部１５２は、入力部１２０を介して受け付けた利用者の操作にしたがって、各種制御を実行する。例えば、操作制御部１５２は、利用者が入力部１２０に対してウェブページＣ１０の表示操作を行った場合は、表示対象となるウェブページＣ１０のＵＲＬを要求部１５１に出力する。また、操作制御部１５２は、入力部１２０を介して受け付けた利用者の操作の内容を表示制御部１５３に出力する。
【００８８】
表示制御部１５３は、受信したウェブページおよび広告コンテンツを出力部１３０に表示する処理を実行する。例えば、表示制御部１５３は、制御部１５０が、広告コンテンツとともに配信される制御情報を実行することで、図７に示すように表示部１５４、検知部１５５、切替部１５６として動作し、表示変更処理を実行する。表示部１５４、検知部１５５、切替部１５６は、例えば、ＣＰＵやＭＰＵ等によって、制御情報がＲＡＭを作業領域として実行されることにより実現される。
【００８９】
表示部１５４は、ウェブページＣ１０と、所定の被写体を含む画像とを表示する。例えば、表示部１５４は、画像Ｃ２１〜Ｃ２５が配置された多視点画像Ｃ２０を受信すると、多視点画像Ｃ２０のうち、後述する切替部１５６から指示された領域をウェブページＣ１０とともに表示する。
【００９０】
また、表示部１５４は、画面上下方向のスクロール操作が行われた場合は、後述する切替部１５６からの指示に従って、ウェブページＣ１０をスクロール操作に従ってスクロールさせるとともに、多視点画像Ｃ２０のうち、表示される領域を表示された画像とは異なる画像が配置された領域に切り替える。
【００９１】
ここで、表示部１５４は、多視点画像Ｃ２０に含まれるいずれかの画像Ｃ２１〜Ｃ２５が選択された場合は、所定の画像または所定の動画像を含むコンテンツＣ２６を新たに表示する。そして、表示部１５４は、コンテンツＣ２６が選択された場合は、コンテンツＣ２６の表示を終了し、ウェブページＣ１０と選択された画像とを表示する。なお、表示部１５４は、多視点画像Ｃ２０に含まれるいずれかの画像Ｃ２１〜Ｃ２５が選択された場合は、コンテンツＣ２６の表示を行うことなく、多視点画像Ｃ２０に対応するランディングページを表示してもよい。また、表示部１５４は、選択された画像ごとに異なるランディングページを表示してもよい。また、多表示部１５４は、コンテンツＣ２６が選択された場合は、所定のランディングページを表示してもよい。
【００９２】
検知部１５５は、ウェブページＣ１０に対するスクロール操作の検知を行う。例えば、検知部１５５は、操作制御部１５２からスクロール操作の内容を取得する。そして、検知部１５５は、取得したスクロール操作の内容に基づいて、画像をどのように切替えるかを判定する。例えば、検知部１５５は、取得したスクロール操作の方向が上方向であり、スクロール操作が所定の閾値以上行われた場合は、多視点画像Ｃ２０のうち表示される領域を、多視点画像Ｃ２０の左側から右側へと切り替える旨を判定する。また、検知部１５５は、取得したスクロール操作の方向が下方向であり、スクロール操作が所定の閾値以上行われた場合は、多視点画像Ｃ２０のうち表示される領域を、多視点画像Ｃ２０の右側から左側へと切り替える旨を判定する。そして、検知部１５５は、判定結果を切替部１５６に通知する。
【００９３】
切替部１５６は、ウェブページＣ１０に対する操作に応じて、ウェブページＣ１０の表示態様を変更するとともに、表示されている画像を、被写体に対する視点位置が異なり、被写体と視点位置との距離が同程度である画像に切り替える。例えば、切替部１５６は、画像Ｃ２１が表示されている際に上方向のスクロール操作が行われた場合は、多視点画像Ｃ２０のうち表示される領域を、画像Ｃ２１が配置された領域から画像Ｃ２２が配置された領域に切り替えるよう表示部１５４に指示する。
【００９４】
例えば、切替部１５６は、画像Ｃ２１〜Ｃ２５が配置された多視点画像Ｃ２０を受信すると、多視点画像Ｃ２０の名称を解析し、多視点画像Ｃ２０のうち、一番左側に配置された画像Ｃ２１の領域「０〜１９９」ピクセルを特定する。そして、表示部１５４は、多視点画像Ｃ２０のうち特定した領域、すなわち、画像Ｃ２１が配置された領域を表示するよう表示部１５４に指示する。
【００９５】
また、切替部１５６は、検知部１５５から多視点画像Ｃ２０のうち表示される領域を、多視点画像の右側に切り替える旨の判定結果が通知された場合は、多視点画像Ｃ２０の名称から、表示している領域の右側に配置された領域を特定する。また、切替部１５６は、検知部１５５から多視点画像Ｃ２０のうち表示される領域を、多視点画像の左側に切り替える旨の判定結果が通知された場合は、多視点画像Ｃ２０の名称から、多視点画像Ｃ２０のうち表示されている領域の左側に配置された領域を特定する。そして、切替部１５６は、特定した領域を表示するよう表示部１５４に指示する。
【００９６】
例えば、切替部１５６は、多視点画像Ｃ２０のうち、左側から「０〜１９９」ピクセルが表示されている際に、上方向のスクロール操作が行われた場合は、多視点画像Ｃ２０の名称から、表示中の領域「０〜１９９」ピクセルの右側に配置された領域「２００〜３９９」ピクセルを特定し、特定した領域を表示するよう表示部１５４に指示する。この結果、切替部１５６は、画像Ｃ２１を画像Ｃ２２に切り替えることができる。また、切替部１５４は、上方向のスクロール操作が行われている間、同様の処理を実行することで、画像Ｃ２２を画像Ｃ２３に、画像Ｃ２３を画像Ｃ２４に、画像Ｃ２４を画像Ｃ２５に切り替えることができる。
【００９７】
また、切替部１５６は、多視点画像Ｃ２０のうち、左側から「２００〜３９９」ピクセルが表示されている際に、下方向のスクロール操作が行われた場合は、多視点画像Ｃ２０の名称から、表示中の領域「２００〜３９９」ピクセルの左側に配置された領域「０〜１９９」ピクセルを特定し、特定した領域を表示するよう表示部１５４に指示する。この結果、切替部１５６は、画像Ｃ２２を画像Ｃ２１に切り替えることとなる。また、切替部１５４は、下方向のスクロール操作が行われている間、同様の処理を実行することで、画像Ｃ２５を画像Ｃ２４に、画像Ｃ２４を画像Ｃ２３に、画像Ｃ２３を画像Ｃ２２に切り替えることができる。
【００９８】
なお、切替部１５６は、各画像Ｃ２１〜Ｃ２５が個別に配信された場合は、切替先となる画像を表示部１５４に指示することで、画像の切替を実現してもよい。
【００９９】
〔７．表示変更処理のバリエーション〕
上記では、図１に例示した表示態様を用いながら、端末装置１００による表示変更処理の一例について説明した。しかしながら、実施形態は、これに限定されるものではない。以下、端末装置１００が実行する表示変更処理のバリエーションについて説明する。なお、以下に説明する表示変更処理は、例えば切替部１５６による制御により表示部１５４が各種表示を行うことにより実現されるが、実施形態は、これに限定されるものではない。
【０１００】
〔７−１．各画像の表示サイズについて〕
上述した実施形態では、端末装置１００は、同じ表示サイズを有する画像Ｃ２１〜Ｃ２５を含む多視点画像Ｃ２０を表示した。しかしながら、実施形態は、これに限定されるものではない。例えば、端末装置１００は、それぞれ異なる表示サイズを有する画像Ｃ２１〜Ｃ２５を含む多視点画像Ｃ２０を表示してもよい。かかる場合、端末装置１００は、多視点画像Ｃ２０のうち、表示対象となる領域に含まれる画像の縦横比の変更、拡大、縮小、トリミング等を行うことで、表示サイズを所定の表示サイズに修正し、表示サイズを修正した画像を表示してもよい。
【０１０１】
また、かかる表示サイズの修正は、広告配信サーバ２０が実行してもよい。例えば、広告配信サーバ２０は、表示サイズがそれぞれ異なる画像Ｃ２１〜Ｃ２５の登録を受けつけた際に、任意の画像処理技術により各画像Ｃ２１〜Ｃ２５の表示サイズを修正し、表示サイズを修正した各画像Ｃ２１〜Ｃ２５を配置した多視点画像Ｃ２０を生成してもよい。
【０１０２】
また、多視点画像Ｃ２０に含まれる各画像Ｃ２１〜Ｃ２５の表示サイズがすべて同一である場合は、多視点画像Ｃ２０の名称に各画像Ｃ２１〜Ｃ２５の表示サイズを含めずともよい。かかる場合、端末装置１００は、スクロール操作が行われた際に、多視点画像Ｃ２０のうち表示される領域を、所定のピクセル数だけ移動させた領域に切り替えることで、表示する画像の切り替えを行うことができる。
【０１０３】
なお、上述した例では、多視点画像Ｃ２０に含まれる各画像Ｃ２１〜Ｃ２５の表示サイズを多視点画像Ｃ２０の名称とした。かかる処理を行った場合、広告配信サーバ２０は、端末装置１００に対して配信するデータを削減できるので、端末装置１００が多視点画像Ｃ２０を表示するまでの時間を削減することができる。しかしながら、実施形態は、これに限定されるものではない。例えば、広告配信サーバ２０は、多視点画像２０に含まれる各画像Ｃ２１〜Ｃ２５の表示サイズを示す情報を、多視点画像Ｃ２０とは個別に配信してもよい。
【０１０４】
〔７−２．多視点画像の表示サイズについて〕
上述した例では、端末装置１００は、スクロール操作に従って、多視点画像Ｃ２０に含まれる画像Ｃ２１〜Ｃ２５の切り替えを行い、多視点画像Ｃ２０が選択された場合は、コンテンツＣ２６を表示した。しかしながら、実施形態は、これに限定されるものではない。例えば、端末装置１００は、表示サイズが画面と同じ画像を表示し、スクロール操作に応じて、画像の切り替えを行ってもよい。
【０１０５】
ここで、端末装置１００は、表示サイズが画面と同じ画像を表示した場合、ウェブページＣ１０を表示できなくなる。そこで、端末装置１００は、多視点画像Ｃ２０に含まれる画像Ｃ２１〜Ｃ２５の一部のみを表示してもよい。すなわち、端末装置１００は、多視点画像Ｃ２０に含まれる画像Ｃ２１〜Ｃ２５のうち、いずれかの画像の一部を表示し、スクロール操作に応じて、多視点画像Ｃ２０のうち表示される領域を、表示された画像とは異なる画像の一部に切り替える。そして、端末装置１００は、画像が選択された場合は、多視点画像Ｃ２０が表示される表示領域の広さを段階的に拡大し、選択された画像の全体を表示してもよい。
【０１０６】
以下、図８を用いて、端末装置１００が、多視点画像に含まれる画像の一部を表示する処理の一例について説明する。図８は、実施形態に係る端末装置が多視点画像に含まれる画像の一部を表示する処理の一例を示す図である。例えば、図８に示す例では、端末装置１００は、ウェブページＣ１０と、複数の画像Ｃ３１〜Ｃ３５を含む多視点画像Ｃ３０との配信を受け付ける。
【０１０７】
ここで、多視点画像Ｃ３０は、図５に示した多視点画像Ｃ２０と同様に、広告に係る画像Ｃ３１〜Ｃ３５が横方向に配置された１つの画像である。また、画像Ｃ３１〜Ｃ３５は、表示サイズが端末装置１００の画面と同じサイズの画像である。具体的には、各画像Ｃ３１〜Ｃ３５は、被写体との距離が同一の視点位置であって、段階的に異なる視点位置から同一の被写体を撮影した複数の画像である。例えば、画像Ｃ３１〜Ｃ３５は、女性の全体像を、段階的に異なる視点から撮影した画像である。
【０１０８】
かかる多視点画像Ｃ３０の配信を受け付けた場合、端末装置１００は、以下の処理を実行する。まず、端末装置１００は、図８中の第１状態に示すように、ウェブページＣ１０を表示するとともに、多視点画像Ｃ３０に含まれる画像Ｃ３１のうち、上端から所定の領域の範囲のみを表示する。かかる状態において、端末装置１００は、ウェブページＣ１０に対するスクロール操作に応じて、ウェブページＣ１０をスクロールさせるとともに、多視点画像Ｃ３０のうち表示される領域を、画像Ｃ３１のうち上端から所定の領域の範囲から、画像Ｃ３２のうち上端から所定の領域の範囲に切り替える。同様に、端末装置１００は、スクロール操作に応じて、多視点画像Ｃ３０のうち表示される領域を、表示されている画像とは異なる画像の一部に切り替える。
【０１０９】
かかる処理の結果、端末装置１００は、スクロール操作に応じて、画像Ｃ３１〜Ｃ３５のうち、上端から所定の領域を順次切り替える。なお、かかる処理を行った際に端末装置１００が表示する画像の具体例については、図１中の第１状態から第５状態に示す例と同様であるものとし、図示を省略する。
【０１１０】
ここで、利用者が多視点画像Ｃ３０のうち表示されている領域を利用者が選択した場合は、利用者の興味がウェブページＣ１０ではなく、多視点画像Ｃ３０に移ったものと考えられる。そこで、端末装置１００は、多視点画像Ｃ３０のうち表示されている領域を利用者の指Ｆ１０が選択した場合は、多視点画像Ｃ３０の表示領域の広さを段階的に拡大する。
【０１１１】
例えば、端末装置１００は、図８の第１状態に示すように、画像Ｃ３１の一部が表示されている領域を利用者の指Ｆ１０が選択した場合は、図８の第２状態に示すように、ウェブページＣ１０の表示領域の広さを縮小するとともに、多視点画像Ｃ３０の表示領域を徐々に拡大し画像Ｃ３１のうち表示される領域の広さを拡大する。そして、端末装置１００は、図８の第３状態に示すように、多視点画像Ｃ３０の表示領域の広さを画面全体まで拡大し、画像Ｃ３１の全体を表示する。
【０１１２】
また、端末装置１００は、多視点画像Ｃ３０に含まれるいずれかの画像の全体が表示されている際に、かかる画像に対する操作が行われた場合は、多視点画像Ｃ３０のうち表示される領域を、表示されている画像が配置された領域から、他の画像が配置された領域に切り替える。例えば、端末装置１００は、図８の第３状態において、利用者の指Ｆ１０が上方向のスクロール操作を行った場合は、図８の第４状態に示すように、多視点画像Ｃ３０のうち表示される領域を、画像Ｃ３１が配置された領域から画像Ｃ３２が配置された領域に切り替える。
【０１１３】
また、端末装置１００は、上方向のスクロール操作が継続された場合は、図８の第５状態に示すように、多視点画像Ｃ３０のうち表示される領域を、画像Ｃ３２が配置された領域から画像Ｃ３３が配置された領域に切り替え、さらにスクロール操作が継続された場合は、図８の第６状態に示すように、多視点画像Ｃ３０のうち表示される領域を、画像Ｃ３３が配置された領域から画像Ｃ３４が配置された領域に切り替える。また、図示を省略したが、端末装置１００は、さらに上方向のスクロール操作が継続された場合は、多視点画像Ｃ３０のうち表示される領域を、画像Ｃ３４が配置された領域から画像Ｃ３５が配置された領域に切り替える。なお、端末装置１００は、図１に示す例と同様に、利用者が下方向のスクロール操作を行った場合は、画像Ｃ３５〜Ｃ３１の順に、表示される画像を切り替える。
【０１１４】
なお、図８に示す例では、端末装置１００は、表示サイズが画面と同じ画像Ｃ３１〜Ｃ３５を表示したが、実施形態は、これに限定されるものではない。例えば、端末装置１００は、表示サイズが画面よりも小さい画像Ｃ３１〜Ｃ３５を表示してもよい。かかる場合、端末装置１００は、例えば、画像Ｃ３１の一部とウェブページとを表示する。そして、端末装置１００は、画像Ｃ３１が選択された場合は、画像Ｃ３１の表示領域の広さを徐々に拡大し、画像Ｃ３１の全体と、ウェブページＣ１０とを並べて表示する。
【０１１５】
かかる対応において、端末装置１００は、ウェブページＣ１０が表示された領域でスクロール操作が行われた場合は、ウェブページＣ１０をスクロールさせるとともに画像Ｃ３１を画像Ｃ３２に切り替える。一方、端末装置１００は、画像Ｃ３１が表示された領域でスクロール操作が行われた場合は、ウェブページＣ１０をスクロールさせずに、画像Ｃ３１を画像Ｃ３２に切り替える。
【０１１６】
なお、端末装置１００は、多視点画像Ｃ３０の表示領域の広さを拡大する前と後とで、画像を切り替えるための操作を変更してもよい。例えば、端末装置１００は、多視点画像Ｃ３０の表示領域を拡大していない場合は、上下方向のスクロール操作に応じて画像の切り替えを行い、多視点画像Ｃ３０の表示領域を拡大した場合は、左右方向のスクロール操作に応じて画像の切り替えを行ってもよい。また、端末装置１００は、多視点画像Ｃ３０の表示領域を拡大した場合は、上下方向のスクロール操作でウェブページＣ１０のスクロールのみを行い、左右方向のスクロール操作が画像の切り替えを行ってもよい。
【０１１７】
また、端末装置１００は、多視点画像Ｃ３０の表示領域を拡大した際に、利用者が多視点画像Ｃ３０を選択した場合は、多視点画像Ｃ３０の表示領域の広さを元の広さ（例えば、図８に示す第１状態）まで段階的に縮小してもよい。また、端末装置１００は、多視点画像Ｃ３０の表示領域を拡大した際に、利用者が多視点画像Ｃ３０を選択した場合は、多視点画像に対応するランディングページを表示してもよい。また、端末装置１００は、選択された際に表示された画像に応じて、異なるランディングページを表示してもよい。
【０１１８】
このように、端末装置１００は、多視点画像Ｃ３０に含まれる画像Ｃ３１の一部をウェブページＣ１０とともに表示する。そして、端末装置１００は、表示されている画像Ｃ３１が選択された場合は、画像Ｃ３１の全体が表示されるまで表示領域を拡大する。このため、端末装置１００は、利用者の印象を悪化させることなく、画像Ｃ３１に係る情報の訴求効果を向上させることができる。
【０１１９】
〔７−３．多視点画像のダウンロードについて〕
上述した例では、端末装置１００は、表示サイズが画面と同じ画像Ｃ３１〜Ｃ３５を含む多視点画像Ｃ３０を表示した。しかしながら、かかる多視点画像Ｃ３０は、多視点画像Ｃ２０よりもデータ量が多いため、端末装置１００と広告配信サーバ２０との通信状況によっては、表示されるまでの時間が多視点画像Ｃ３０よりも増加する。
【０１２０】
そこで、端末装置１００は、ウェブページＣ１０の配信とともに、多視点画像Ｃ２０の配置を受け付け、ウェブページＣ１０とともに、多視点画像Ｃ２０に含まれる画像Ｃ２１〜Ｃ２５を表示する。また、端末装置１００は、多視点画像Ｃ２０に含まれる画像Ｃ２１〜Ｃ２５を選択した場合は、多視点画像Ｃ３０を広告配信サーバ２０から取得し、多視点画像Ｃ２０を多視点画像Ｃ３０に切り替える。そして、端末装置１００は、図８に示した表示変更処理を実現してもよい。
【０１２１】
例えば、図９は、実施形態に係る端末装置が多視点画像を取得するタイミングの一例を説明する図である。図９に示す場合、端末装置１００は、ウェブページＣ１０と、画像Ｃ２１〜Ｃ２５を含む多視点画像Ｃ２０との配信を受付ける。かかる場合、端末装置１００は、図９の第１状態に示すように、ウェブページＣ１０と多視点画像Ｃ２０のうち、画像Ｃ２１が配置された領域とを表示する。
【０１２２】
そして、端末装置１００は、利用者の指Ｆ１０により、ウェブページＣ１０に対して上方向のスクロール操作が行われた場合は、多視点画像Ｃ２０のうち表示される領域を、画像Ｃ２１が配置された領域から画像Ｃ２２が配置された領域に切替える。この結果、端末装置１００は、図９の第２状態に示すように、画像Ｃ２１を画像Ｃ２２に切替える。
【０１２３】
ここで、端末装置１００は、利用者の指Ｆ１０が多視点画像Ｃ２０を選択した場合は、広告配信サーバ２０に多視点画像Ｃ３０の配信要求を送信する。そして、端末装置１００は、多視点画像Ｃ３０を取得した場合は、多視点画像Ｃ３０に含まれる各画像Ｃ３１〜Ｃ３５のうち、選択された画像と対応する画像を特定する。例えば、端末装置１００は、画像Ｃ２２が選択された場合は、画像Ｃ２２と対応する（すなわち、画像Ｃ２２と同じ画像を一部に含む）画像Ｃ３２を特定する。
【０１２４】
そして、端末装置１００は、多視点画像Ｃ２０を、多視点画像Ｃ３０のうち特定した画像（例えば、画像Ｃ３２）の上端から所定の範囲に切替える。そして、端末装置１００は、図９の第３状態に示すように、画像Ｃ３２の全体が表示されるまで、多視点画像Ｃ３０の表示領域の広さを徐々に拡大する。その後、端末装置１００は、多視点画像Ｃ３０に対するスクロール操作に応じて、多視点画像Ｃ３０のうち表示される領域を切替える。例えば、端末装置１００は、多視点画像Ｃ３０のうち画像Ｃ３２が配置された領域を表示する際に、スクロール操作が行われた場合は、図９の第４状態に示すように、画像Ｃ３２を画像Ｃ３３に切替える。
【０１２５】
なお、端末装置１００は、利用者がバックグランドでのデータ通信を許可する場合、ウェブページＣ１０と多視点画像Ｃ２０に含まれる画像Ｃ２１とを表示した際に、バックグラウンドで多視点画像Ｃ３０を取得し、利用者が多視点画像Ｃ２０を選択した際に、多視点画像Ｃ２０を多視点画像Ｃ３０に切替えてもよい。
【０１２６】
〔７−４．表示領域の拡大について〕
上述した実施形態では、多視点画像Ｃ３０に含まれる画像の一部を表示し、利用者が画像を選択した際に、選択された画像の全体が表示されるまで表示領域を拡大した。しかしながら、実施形態は、これに限定されるものではない。例えば、端末装置１００は、多視点画像Ｃ３０に含まれる画像の一部とウェブページＣ１０の下端が表示されている際に、上方向のスクロール操作が行われた場合は、かかるスクロール操作に従って、ウェブページＣ１０をスクロールさせるとともに、多視点画像Ｃ３０の表示領域の広さを拡大してもよい。
【０１２７】
例えば、図１０は、実施形態に係る端末装置が表示領域を拡大する処理の一例を示す図である。例えば、端末装置１００は、ウェブページＣ１０と多視点画像Ｃ３０との配信を受付けた場合は、図１０の第１状態に示すように、画像Ｃ３１の一部とウェブページＣ１０とを表示する。また、端末装置１００は、ウェブページＣ１０に対して上方向のスクロール操作が行われた場合は、多視点画像Ｃ３０のうち表示される領域を順次切り替える。
【０１２８】
かかる処理の結果、例えば、端末装置１００は、図１０の第２状態に示すように、ウェブページＣ１０の下端と、画像Ｃ３５の一部とを表示する。かかる状態において、ウェブページＣ１０に対し上方向のスクロール操作が行われた場合は、端末装置１００は、図１０の第３状態に示すように、ウェブページＣ１０を上方向にスクロールさせるとともに、ウェブページＣ１０の表示領域の広さを縮小し、画像Ｃ３５の表示領域を拡大する。また、端末装置１００は、図１０の第３状態において利用者の指Ｆ１０が画面から離れた場合は、ウェブページＣ１０の表示領域の広さと、画像Ｃ３５の表示領域の広さとを、元の状態（例えば、図１０の第２状態）まで戻す。
【０１２９】
なお、端末装置１００は、ウェブページＣ１０の下端が表示されている際に、上方向のスクロール操作が行われた場合は、多視点画像Ｃ３０を所定の画像に切替え、かかる画像の表示領域を拡大してもよい。例えば、端末装置１００は、図１０の第２状態に示すように、ウェブページＣ１０に対し上方向のスクロール操作が行われた場合は、端末装置１００は、図１０の第４状態に示すように、ウェブページＣ１０を上方向にスクロールさせるとともに、画像Ｃ３５を「ただいまセール中！今すぐアクセス！」等といった広告文が配置された画像Ｃ３７に切替え、画像Ｃ３７の表示領域を拡大してもよい。また、端末装置１００は、多視点画像Ｃ３０を画面上部に配置した際、ウェブページＣ１０の上端が表示されている際に下方向のスクロール操作が行われた場合に、多視点画像Ｃ３０の表示領域の広さを拡大してもよい。
【０１３０】
〔７−５．多視点画像のスクロールについて〕
また、上述した実施形態では、端末装置１００は、スクロール操作に従って、ウェブページＣ１０をスクロールさせるとともに、多視点画像Ｃ２０、Ｃ３０の表示位置を固定したまま、画像の切り替えを行った。しかしながら、実施形態は、これに限定されるものではない。例えば、端末装置１００は、ウェブページＣ１０が有する所定の枠内に、多視点画像Ｃ３０に含まれる画像を配置する。そして、端末装置１００は、スクロール操作に従って、ウェブページＣ１０をスクロールさせるとともに、所定の枠の移動に従って、多視点画像Ｃ３０に含まれる画像の表示位置を変更させつつ、画像を切替えてもよい。
【０１３１】
例えば、図１１は、実施形態に係る端末装置がスクロール操作に従って多視点画像を表示する位置を変更する処理の一例を示す図である。例えば、端末装置１００は、図１１の第１状態に示す例では、画像が配置される領域とテキストが配置される領域とを有するタイルが複数配置されたウェブページＣ１０を表示する。かかる場合において、端末装置１００は、多視点画像Ｃ３０のうち画像Ｃ３１の一部と、多視点画像Ｃ３０に係るテキストとの組を、ウェブページＣ１０が有するいずれかのタイル内に表示する。すなわち、端末装置１００は、ウェブページＣ１０が有するレイアウトに揃えて、多視点画像Ｃ３０を表示する。
【０１３２】
ここで、端末装置１００は、利用者の指Ｆ１０により上方向のスクロール操作が行われた場合は、図１１の第２状態に示すように、ウェブページＣ１０を上方向にスクロールさせるとともに、タイルの移動に従って、多視点画像Ｃ３０の表示位置を上方向に移動させる。また、端末装置１００、タイル内に配置された画像Ｃ３１の一部を、画像Ｃ３２の一部に切替える。
【０１３３】
また、端末装置１００は、上方向のスクロール操作が継続して行われた場合は、図１１の第３状態〜第５状態に示すように、ウェブページＣ１０を上方向にスクロールさせるとともに、タイルの移動に従って、多視点画像Ｃ３０の表示位置を移動させつつ、画像の切り替えを行う。すなわち、端末装置１００は、図１１の第３状態に示すように、画像Ｃ３２の一部を画像Ｃ３３の一部に切替え、図１１の第４状態に示すように、画像Ｃ３３の一部を画像Ｃ３４の一部に切替え、図１１の第５状態に示すように、画像Ｃ３４の一部を画像Ｃ３５の一部に切替える。
【０１３４】
なお、端末装置１００は、図１１に示す第１状態〜第５状態のいずれかにおいて、多視点画像Ｃ３０の一部が表示された領域や、多視点画像Ｃ３０の一部が配置されたタイルを利用者が選択した場合は、表示されている画像の全体が表示されるまで、多視点画像Ｃ３０の表示領域を拡大してもよく、所定のランディングページや所定のコンテンツ等を表示してもよい。
【０１３５】
〔７−６．多視点画像の時間軸について〕
また、上述した実施形態では、端末装置１００は、同一の被写体に対する視点位置が異なる複数の画像を含む多視点画像Ｃ２０、Ｃ３０を表示した。ここで、多視点画像Ｃ２０、Ｃ３０に含まれる画像は、視点位置が異なる複数のカメラを用いて同一のタイミングで撮影された画像であってもよく、一つ又は複数のカメラを用いて、視点位置を変更しながら異なるタイミングで撮影された画像であってもよい。すなわち、多視点画像Ｃ２０、Ｃ３０に含まれる画像は、被写体に対する視点位置が異なり、かつ、被写体における時系列が異なる写真であってもよい。
【０１３６】
例えば、図１２は、時系列が異なる画像を含む多視点画像の一例を示す図である。例えば、図１２には、多視点画像Ｃ３０と同様に、女性を被写体とし、それぞれ被写体に対する視点位置が異なる画像Ｃ４１〜Ｃ４５を有する多視点画像Ｃ４０の一例を記載した。ここで、多視点画像Ｃ４０に含まれる画像Ｃ４１〜Ｃ４５は、左腕を徐々に上方向に挙げる女性を、視点位置をずらしながら順次撮影した画像である。
【０１３７】
具体的に説明すると、画像Ｃ４１は、左腕をまだ挙げていない女性を右側から撮影した画像である。また、画像Ｃ４２は、左腕を少し上に挙げた女性を右斜め前から撮影した画像である。また、画像Ｃ４３は、左腕を水平方向まで上に挙げた女性を正面から撮影した画像である。また、画像Ｃ４４は、左腕を水平方向よりも少し上に挙げた女性を左斜め前から撮影した画像である。また、画像Ｃ４４は、左腕をさらに上に挙げた女性を左側から撮影した画像である。
【０１３８】
すなわち、多視点画像Ｃ４０に含まれる各画像Ｃ４１〜Ｃ４５は、被写体に対する視点位置と、被写体における時系列とをずらしながら撮影した画像である。端末装置１００は、係る多視点画像Ｃ４０の配信を受付けた場合、ウェブページＣ１０のスクロール操作に従って、画像Ｃ４１〜Ｃ４５の切り替えを行う。この結果、端末装置１００は、多視点画像Ｃ４０に対して興味を持った利用者に対し、時系列が異なる複数の画像を表示するので、多視点画像Ｃ４０に係る情報の訴求効果を向上させることができる。
【０１３９】
〔７−７．多視点画像の構成について〕
上述した例では、端末装置１００は、被写体に対する視点位置を水平方向に移動させた複数の画像を表示した。しかしながら、実施形態は、これに限定されるものではない。例えば、端末装置１００は、被写体に対する視点位置を垂直方向に移動させた複数の画像を表示してもよい。また、端末装置１００は、被写体に対する視点位置を水平方向および垂直方向に移動させた複数の画像を表示してもよい。すなわち、端末装置１００は、３次元の各軸方向に異なる視点位置から被写体を撮影した複数の画像を含む多視点画像を表示してもよい。
【０１４０】
また、端末装置１００は、被写体に対する視点位置を水平方向に移動させた複数の画像を横方向に並べて配置し、表示被写体に対する視点位置を垂直方向に移動させた複数の画像を垂直方向に並べて配置した多視点画像を表示してもよい。例えば、図１３は、視点位置が各軸方向に異なる画像を配置した多視点画像の一例を説明する図である。
【０１４１】
例えば、図１３に示す例では、車両を被写体とし、視点位置と被写体との距離を一定に保ちつつ、視点位置を水平方向に移動させた複数の画像をＸ軸方向に並べて配置し、視点位置を垂直方向に移動させた複数の画像をＹ軸方向に並べて配置した多視点画像Ｃ５０の一例を記載した。また、以下の説明では、多視点画像Ｃ５０に含まれる各画像を、多視点画像Ｃ５０の左下を原点として各画像が配置された位置（Ｘ、Ｙ）で表すものとする。
【０１４２】
例えば、図１３に示す例では、多視点画像Ｃ５０は、被写体と同じ高さで、視点位置を水平方向に移動させながら撮影した画像を画像（０、０）〜（４、０）として有する。また、多視点画像Ｃ５０は、被写体の斜め上方向で、視点位置を水平方向に移動させながら撮影した画像を画像（０、１）〜（４、１）として有する。また、多視点画像Ｃ５０は、被写体の上方向から、視点位置を回転させながら撮影した画像を画像（０、２）〜（４、２）として有する。
【０１４３】
なお、係る画像（０、０）〜（４、２）は、カメラの位置を移動させながら被写体を撮影した画像であってもよく、回転する被写体を水平方向、斜め上方向、上方向に配置したカメラで撮影した画像であってもよい。また、係る画像（０、０）〜（４、２）は、一つのカメラで撮影した画像であってもよく、複数の画像で撮影した画像であってもよい。
【０１４４】
かかる多視点画像Ｃ５０の配信を受付けた端末装置１００は、例えば、以下の処理を実行する。まず、端末装置１００は、画像（０、０）を表示する。そして、端末装置１００は、利用者が横方向のスクロール操作を行った場合は、スクロール操作に従って、画像（０、０）を画像（０、１）に、画像（０、１）を画像（０、２）に、画像（０、２）を画像（０、３）に、画像（０、３）を画像（０、４）に切替える。すなわち、端末装置１００は、利用者が横方向のスクロール操作を行った場合は、スクロール操作に従って、表示された画像を、視点位置が水平方向に異なる画像に切替える。
【０１４５】
また、端末装置１００は、利用者が縦方向のスクロール操作を行った場合は、スクロール操作に従って、画像（０、０）を画像（１、０）に、画像（１、０）を画像（２、０）に切替える。すなわち、端末装置１００は、利用者が横方向のスクロール操作を行った場合は、スクロール操作に従って、表示された画像を、視点位置が垂直方向に異なる画像に切替える。
【０１４６】
また、端末装置１００は、利用者が横方向のスクロール操作を行い、画像（０、０）を画像（０、１）に切替えた後で、利用者が縦方向のスクロール操作を行った場合は、画像（０、１）を画像（１、１）に切替える。このような表示変更処理を行うことで、端末装置１００は、利用者が希望する位置から被写体を撮影した画像を表示することができる。この結果、端末装置１００は、多視点画像Ｃ５０に係る情報の訴求効果を向上させることができる。
【０１４７】
〔７−８．多視点画像に含まれる画像について〕
上述した例では、端末装置１００は、静止画像を含む多視点画像Ｃ２０〜Ｃ５０を表示した。しかしながら、実施形態は、これに限定されるものではない。すなわち、多視点画像Ｃ２０〜Ｃ５０が含む画像は、それぞれ異なる視点から撮影された動画像であってもよい。かかる場合、例えば、端末装置１００は、ウェブページＣ１０とともに、所定の視点位置から撮影した動画像を表示し、ウェブページＣ１０のスクロール操作が行われた場合は、所定の視点位置とは異なる視点位置から撮影した動画像に切替えればよい。
【０１４８】
また、端末装置１００は、動画像の切り替えを行う場合は、切替元となる動画像のうち再生中のフレームを特定し、切替先となる動画像のうち特定したフレームと対応するフレームの次のフレームから再生を行ってもよい。このような処理を実行することで、端末装置１００は、利用者が選択した視点から撮影した動画像を表示することができる。
【０１４９】
なお、端末装置１００は、動画像と画像とを含む多視点画像を表示してもよく、音声、テキスト、その他任意の情報を含むコンテンツを含む多視点画像を表示してもよい。また、多視点画像Ｃ２０〜Ｃ５０には、任意の数の画像が含まれてもよい。
【０１５０】
〔７−９．その他〕
端末装置１００は、上述した任意の処理を適宜組み合わせて、表示変更処理を実行してもよい。かかる組合せは、広告配信サーバ２０に広告コンテンツを登録する際、広告主が任意に設定することができる。そして、広告配信サーバ２０は、広告主が設定した処理の組合せを端末装置１００に実行させる制御情報を生成し、生成した制御情報を端末装置１００に配信する。この結果、端末装置１００は、上述した任意の処理を広告主の設定に応じて組合せ、実行することができる。
【０１５１】
〔８．端末装置１００の処理フロー〕
次に、図１４を用いて、制御情報を実行した端末装置１００が実行する処理の手順について説明する。図１４は、実施形態に係る端末装置が実行する表示変更処理の流れの一例を示すフローチャートである。
【０１５２】
図１４に示す例では、端末装置１００は、利用者の操作に応じてコンテンツ配信サーバ３０にウェブページＣ１０の配信を要求し、コンテンツ配信サーバ３０からウェブページＣ１０を受信する（ステップＳ１０１）。次に、端末装置１００は、配信されたウェブページＣ１０に取得命令が含まれる場合は、広告配信サーバ２０に対して配信要求を送信する（ステップＳ１０２）。次に、端末装置１００は、多視点画像Ｃ２０を受信したか否かを判定する（ステップＳ１０３）。そして、端末装置１００は、多視点画像Ｃ２０を受信していないと判定した場合は（ステップＳ１０３：Ｎｏ）、再度ステップＳ１０３を実行する。
【０１５３】
また、端末装置１００は、多視点画像Ｃ２０を受信した場合は（ステップＳ１０３：Ｙｅｓ）、ウェブページＣ１０と多視点画像Ｃ２０に含まれる画像Ｃ２１とを表示する（ステップＳ１０４）。そして、端末装置１００は、ウェブページＣ１０に対するスクロール操作が検出されたか否かを判定する（ステップＳ１０５）。
【０１５４】
ここで、端末装置１００は、ウェブページＣ１０に対するスクロール操作が検出された場合は（ステップＳ１０５：Ｙｅｓ）、スクロール操作に応じて、ウェブページを移動させるとともに（ステップＳ１０６）、スクロール操作に応じて、表示中の画像を視点位置が異なる画像に切替える（ステップＳ１０７）。そして、端末装置１００は、異なるウェブページに移動したか否かを判定し（ステップＳ１０８）、移動した場合は（ステップＳ１０８：Ｙｅｓ）、処理を終了する。
【０１５５】
一方、端末装置１００は、異なるウェブページに移動していない場合は（ステップＳ１０８：Ｎｏ）、ステップＳ１０５を再度実行する。また、端末装置１００は、ウェブページＣ１０に対するスクロール操作が検出されなかった場合は（ステップＳ１０５：Ｎｏ）、ステップＳ１０５を再度実行する。
【０１５６】
〔９．変形例〕
上記では、図１や図８〜図１１に例示した表示態様を用いながら、端末装置１００による表示変更処理の一例について説明した。しかしながら、実施形態は、これに限定されるものではない。以下、端末装置１００が実行する表示変更処理のバリエーションについて説明する。なお、以下に説明する表示変更処理は、例えば切替部１５６が表示部１５４を制御することにより実現される。
【０１５７】
〔９−１．表示変更処理のトリガについて〕
上述した実施形態では、端末装置１００は、ウェブページＣ１０に対するスクロール操作や、多視点画像Ｃ２０〜Ｃ５０に対するスクロール操作に応じて、表示する画像を視点位置が異なる画像に切替えた。しかしながら、実施形態は、これに限定されるものではない。例えば、端末装置１００は、端末装置１００の傾きや端末装置１００に与えられた衝撃等、物理センサ１４０が測定した端末装置１００の物理的な状態に応じて、ウェブページＣ１０の操作が行われる場合、かかる物理的な状態に応じて、画像の切り替えを実行してもよい。また、端末装置１００は、多視点画像Ｃ３０〜Ｃ５０に含まれる画像の全体を表示している場合は、端末装置１００の物理的な状態に応じて、画像の切り替えを実行してもよい。
【０１５８】
〔９−２．広告について〕
上述した例では、端末装置１００が、広告に係る多視点画像Ｃ２０やコンテンツＣ２６を表示する例について説明した。しかしながら、実施形態はこれに限定されるものではない。すなわち、多視点画像Ｃ２０やコンテンツＣ２６は、広告に係るコンテンツに限定されるものではない。例えば、端末装置１００は、ウェブページＣ１０に代えてゲームコンテンツを表示する際、ゲームのメニューやチュートリアル等の補助コンテンツを多視点画像Ｃ２０〜Ｃ５０として表示してもよい。また、端末装置１００は、ゲームの実行時、フラッシュやＣＳＳ（Cascading  Style  Sheets）等の技術により作成されたインタラクティブ形式のウェブページの表示を行う際に多視点画像を表示して、表示変更処理を実行してもよい。また、端末装置１００は、ＳＮＳ（Social  Networking  Service）のコンテンツ、メッセンジャーアプリケーションの画面、カメラアプリケーションの画面、その他任意のコンテンツとともに、多視点画像Ｃ２０〜Ｃ５０を表示し、上述した表示変更処理を実行してもよい。
【０１５９】
〔９−３．制御情報について〕
上記した端末装置１００は、広告配信サーバ２０が多視点画像Ｃ２０とともに配信する制御情報を用いて、上記した表示処理を実行した。しかしながら、実施形態は、これに限定されるものではない。例えば、端末装置１００は、上記した制御情報をコンテンツ配信サーバ３０からウェブページとともに受信し、広告配信サーバ２０から多視点画像Ｃ２０とともに制御指示を受信する。そして、端末装置１００は、コンテンツ配信サーバ３０から受信した制御情報を実行するとともに、受信した制御指示に従って表示変更処理を実行してもよい。
【０１６０】
また、端末装置１００は、ウェブページＣ１０の表示処理や、上述した表示変更処理等を端末装置１００に実行させるアプリケーションをあらかじめダウンロードし、かかるアプリケーションを実行することで、上述した処理を実現してもよい。
【０１６１】
〔９−４．装置構成〕
また、上記実施形態では、配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図３に示した広告配信サーバ２０は、例えば、図６に示したコンテンツ記憶部３２、受付部３４、配信部３５を有する。そして、広告配信サーバ２０は、端末装置１００からウェブページの取得要求を受け付けた場合に、広告コンテンツとともに、取得命令を含まないウェブページを端末装置１００に配信する。
【０１６２】
また、上記実施形態では、広告配信サーバ２０から端末装置１００に多視点画像Ｃ２０が配信される例を示したが、コンテンツ配信サーバ３０が、広告配信サーバ２０から多視点画像Ｃ２０を取得してもよい。この場合、広告配信サーバ２０の要求受付部２６は、コンテンツ配信サーバ３０から多視点画像Ｃ２０の取得要求を受け付ける。また、広告配信サーバ２０は、コンテンツ配信サーバ３０に多視点画像Ｃ２０を配信する。また、コンテンツ配信サーバ３０は、広告配信サーバ２０から取得した多視点画像Ｃ２０とともに、取得命令を含まないウェブページを端末装置１００に配信する。
【０１６３】
〔９−５．ログについて〕
ここで、端末装置１００は、多視点画像Ｃ２０〜Ｃ５０に含まれる画像ごとに、表示されたか否かを示すログや、利用者によって選択されたコンテンツのログを取ってもよい。また、端末装置１００は、各画像Ｃ２１〜Ｃ２５の表示回数や選択回数だけではなく、利用者が選択した時間を、画像ごとに測定してもよい。まだ、端末装置１００は、画像Ｃ３１〜Ｃ３５のうちいずれかの画像を表示されている際に、多視点画像Ｃ３０の表示領域の広さを拡大したかを示すログを取ってもよい。
【０１６４】
例えば、端末装置１００は、利用者がウェブページＣ１０に対するスクロール操作を行わずに、ウェブページＣ１０の表示を終了した場合は、多視点画像Ｃ２０が閲覧されていない旨のログを取得してもよい。一方で、端末装置１００は、利用者がウェブページＣ１０に対するスクロール操作を行い、画像Ｃ２１を画像Ｃ２２に変更した場合は、画像Ｃ２１および画像Ｃ２２が閲覧された旨のログを取得してもよい。また、端末装置１００は、利用者が選択した画像がどの画像であるかを示すログを取得してもよい。
【０１６５】
このように端末装置１００が取得したログは、多視点画像Ｃ２０のインプレッション数やＣＴＲの更新、および、広告主に広告効果を報告する際等に有用なログとなる。例えば、多視点画像Ｃ２０に含まれる各画像Ｃ２１〜Ｃ２５が表示された回数が１回ずつである場合は、利用者が多視点画像Ｃ２０に興味を有さずに、ウェブページＣ１０をスクロールしたと予測される。一方で、画像Ｃ２１〜Ｃ２５のうち、いずれかの画像の表示回数が２回以上である場合は、利用者が多視点画像Ｃ２０に興味を有し、画像の切り替えを行うため、ウェブページＣ１０を何度もスクロール操作したものと予測される。また、画像Ｃ２１〜Ｃ２５が表示された回数を比較することで、どの画像が表示された際に利用者が興味を有したかを予測することができる。このため、多視点画像Ｃ２０に含まれる各画像Ｃ２１〜Ｃ２５の表示回数は、利用者が多視点画像Ｃ２０に対して興味を有したか否かの指標となりえる。
【０１６６】
また、端末装置１００が取得したログは、ランディングページに配置されるコンテンツの変更に用いられてもよい。例えば、端末装置１００は、利用者が多視点画像Ｃ２０を選択した場合は、同一のランディングページを取得するとともに、かかるランディングページを配信するサーバに対して、画像Ｃ２１〜Ｃ２５のいずれを選択したかを通知する。かかる際、ランディングページを配信するサーバは、利用者が選択した画像Ｃ２１〜Ｃ２５に応じて、ランディングページに配置するコンテンツを特定し、特定したコンテンツをランディングページに配置するよう端末装置１００に指示してもよい。
【０１６７】
また、広告配信サーバ２０は、ログに基づいて、多視点画像Ｃ２０に含まれる画像Ｃ２１〜Ｃ２５の並びを変更するようリコメンドしてもよい。また、広告配信サーバ２０は、多視点画像Ｃ２０のうち、画像Ｃ２１〜Ｃ２５ごとに計数した表示回数に基づく位置に、広告文等のコンテンツを挿入するようリコメンドを行ってもよい。
【０１６８】
また、広告配信サーバ２０は、画像Ｃ３１〜Ｃ３５に利用者が触れた回数や、多視点画像Ｃ３０の表示領域を拡大したか否か、利用者がウェブページＣ１０を上下にスクロールした回数等に応じて、広告に関する課金額を変更してもよい。また、広告配信サーバ２０は、各画像Ｃ３１〜Ｃ３５ごとの表示回数を解析することで、利用者が多視点画像Ｃ３０に興味を持ったか否かを判定し、判定結果に応じた課金を行ってもよい。例えば、広告配信サーバ２０は、画像Ｃ３１〜Ｃ３５の表示回数から、利用者がウェブページＣ１０を何度も上下にスクロールさせたと予測できる場合は、多視点画像Ｃ３０に対して興味を持ったと判定し、課金を行ってもよい。
【０１６９】
また、端末装置１００は、例えば、多視点画像Ｃ３０を電子商取引のウェブサイト等で表示した場合は、多視点画像Ｃ３０のうち表示される画像を何度も切り替えたが、対象となる商品を購入していない旨のログ等を取得してもよい。また、端末装置１００は、どの画像が表示された際に購入が行われたかを示すログ等を取得してもよい。
【０１７０】
〔９−６．端末装置の操作記録〕
また、上述してきた端末装置１００は、実施形態に係る多視点画像Ｃ２０が配置されているウェブページに対して、利用者がどれだけ端末装置１００を操作したかという記録を広告配信サーバ２０に送信してもよい。具体的には、端末装置１００は、多視点画像Ｃ２０が配置されているウェブページＣ１０に対して利用者が行うスクロール操作や、ウェブページＣ１０に対するスクロール操作、利用者の選択操作、利用者が多視点画像Ｃ２０を選択した位置、選択されたコンテンツ、各画像Ｃ２１〜Ｃ２５の表示タイミングや表示回数等を記録する。
【０１７１】
また、端末装置１００は、多視点画像Ｃ３０に含まれる各画像Ｃ３１〜Ｃ３５選択操作や、ウェブページＣ１０をリロードした回数や、多視点画像Ｃ２０〜Ｃ５０を特定する情報について端末装置１００からの発信操作（例えば、ＳＮＳへの書き込みなど）など、利用者が端末装置１００に対して行う種々の操作を記録することもできる。そして、端末装置１００は、操作履歴に関する情報を広告配信サーバ２０に送信する。
【０１７２】
かかる場合、広告配信サーバ２０は、端末装置１００から配信された操作履歴に関する情報を集計し、かかる情報について分析した情報をさらに取得する。例えば、広告配信サーバ２０は、個別に集計した画像Ｃ２１〜Ｃ２５の表示回数、制御情報とともに多視点画像Ｃ２０を配信した場合と、単一の画像を配信した場合とについて、ウェブページＣ１０に対するスクロール操作の回数や、表示変更処理を実行した回数、表示したランディングページの種別やランディングページに配置されたコンテンツの種別、ＣＴＲなどの広告効果の指標を比較した情報などを取得する。
【０１７３】
ここで、制御情報とともに多視点画像Ｃ２０を配信した際にウェブページＣ１０に対して行われた操作の履歴は、広告効果を示す指標となりうる。すなわち、実施形態に係る制御情報を伴う多視点画像Ｃ２０が表示されるウェブページにおいては、利用者によって多視点画像Ｃ２０自体がクリックされることにより多視点画像Ｃ２０の先のウェブページ（ランディングページ）が表示されることのみならず、かかるウェブページＣ１０に対して利用者がどれだけ操作を行ったか（つまり、利用者がどれだけ画面の表示態様を変化させたか）という操作履歴自体が利用者の多視点画像Ｃ２０への興味を示す指標といえる。
【０１７４】
例えば、広告配信サーバ２０は、利用者がウェブページＣ１０をスクロールさせ画像Ｃ２１〜Ｃ２５を変更することで、または、各画像Ｃ２１〜Ｃ２５を画面内に配置させた回数や時間等を比較することで、実施形態に係る制御情報を伴う多視点画像Ｃ２０を表示した際に、多視点画像Ｃ２０が広く伝えようとする情報、例えば広告に対する関心をどれくらい発生させたかを示す指標を提供することができる。したがって、広告配信サーバ２０は、広告主端末１０に端末装置１００の操作履歴に関する情報を送信することにより、実施形態に係る多視点画像Ｃ２０が表示されるウェブページＣ１０に対する広告効果の指標を示すレポートとすることができる。なお、広告配信サーバ２０は、広告主端末１０に端末装置１００の操作履歴に関する情報やログをそのまま送信してもよい。
【０１７５】
これにより、広告配信サーバ２０は、端末装置１００における実施形態に係る制御情報を伴う多視点画像Ｃ２０の表示態様の有用性を広告主に示すことができる。
【０１７６】
〔９−７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１７７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図７に示した要求部１５１および操作制御部１５２は統合されてもよい。
【０１７８】
また、上記してきた各実施形態は、処理内容を矛盾させない範囲で適宜組み合わせることが可能である。
【０１７９】
〔９−８．プログラム〕
また、上記してきた実施形態に係る端末装置１００、広告配信サーバ２０およびコンテンツ配信サーバ３０は、例えば、図１５に示すような構成のコンピュータ１０００によって実現される。以下、広告配信サーバ２０を例に挙げて説明する。図１５は、広告配信サーバの機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１８０】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１８１】
ＨＤＤ１４００は、ＣＰＵ１１００によって実行されるプログラム、および、係るプログラムによって使用されるデータ等を格納する。通信インターフェイス１５００は、ネットワークＮを介して他の機器からデータを受信してＣＰＵ１１００へ送り、ＣＰＵ１１００が生成したデータを他の機器へ送信する。
【０１８２】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１８３】
メディアインターフェイス１７００は、記録媒体１８００に格納されたプログラムまたはデータを読み取り、ＲＡＭ１２００を介してＣＰＵ１１００に提供する。ＣＰＵ１１００は、係るプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１８４】
例えば、コンピュータ１０００が実施形態に係る広告配信サーバ２０として機能する場合、コンピュータ１０００のＣＰＵ１１００は、ＲＡＭ１２００上にロードされたプログラムを実行することにより、制御部２３の機能を実現する。また、ＨＤＤ１４００には、記憶部２２内のデータ、すなわち広告データベース２４が格納される。コンピュータ１０００のＣＰＵ１１００は、これらのプログラムを記録媒体１８００から読み取って実行するが、他の例として、他の装置からこれらのプログラムを取得してもよい。
【０１８５】
なお、コンピュータ１０００が実施形態に係る端末装置１００として機能する場合、コンピュータ１０００のＣＰＵ１１００は、ＲＡＭ１２００上にロードされたプログラムを実行することにより、制御部１５０の機能を実現する。
【０１８６】
なお、コンピュータ１０００が実施形態に係るコンテンツ配信サーバ３０として機能する場合、コンピュータ１０００のＣＰＵ１１００は、ＲＡＭ１２００上にロードされたプログラムを実行することにより、制御部３３の機能を実現する。また、ＨＤＤ１４００には、コンテンツ記憶部３２内のデータが格納される。
【０１８７】
〔１０．効果〕
上述したように、端末装置１００は、ウェブページＣ１０と、所定の被写体を含む画像Ｃ２１とを表示する。そして、端末装置１００は、ウェブページＣ１０に対する操作に応じて、ウェブページＣ１０の表示態様を変更するとともに、画像Ｃ２１を、被写体に対する視点位置が画像Ｃ２１とは異なる画像Ｃ２２に切替える。
【０１８８】
この結果、端末装置１００は、利用者の視界に視差を生じさせるので、利用者の注意を無意識的に、ウェブページＣ１０から多視点画像Ｃ２０に向けさせることができる。このため、端末装置１００は、利用者の印象を悪化させることなく、多視点画像Ｃ２０に係る情報の訴求効果を向上させることができる。
【０１８９】
より具体的な例を説明すると、端末装置１００は、広告に係る多視点画像Ｃ２０を表示した場合、広告にかかる多視点画像Ｃ２０に対する利用者の興味を生じさせることができるので、多視点画像Ｃ２０が伝えようとする情報、すなわち広告の内容の訴求力を向上させる結果、広告効果を向上させることができる。なお、端末装置１００の効果は、広告関係の効果に限定されるものではない。
【０１９０】
また、端末装置１００は、画像Ｃ２１と画像Ｃ２２とが配置された多視点画像Ｃ２０のうち画像Ｃ２１が配置された領域とウェブページＣ１０とを表示し、ウェブページＣ１０に対する操作に応じて、ウェブページＣ１０の表示態様を変更するとともに、多視点画像Ｃ２０のうち表示される領域を、画像Ｃ２１が配置された領域から画像Ｃ２２が配置された領域に切替える。このため、端末装置１００は、画像Ｃ２１、Ｃ２２の配信を個別に受け付けるよりも、広告配信サーバ２０に対するリクエストの数を削減できるので、ウェブページＣ１０や画像Ｃ２１〜Ｃ２５を表示するまでの時間を削減できる。
【０１９１】
また、端末装置１００は、多視点画像Ｃ３０のうち画像Ｃ３１が配置された領域の一部とウェブページＣ１０とを表示し、ウェブページＣ１０に対する操作に応じて、多視点画像Ｃ３０のうち表示される領域を、画像Ｃ３１が配置された領域の一部から画像Ｃ３２が配置された領域の一部に切替える。このため、端末装置１００は、画像Ｃ３１〜Ｃ３５の表示サイズが大きい場合にも、ウェブページＣ１０の視認性を悪化させないので、利用者の印象を悪化させることなく、多視点画像Ｃ３０に注意を向けさせることができる。
【０１９２】
また、端末装置１００は、多視点画像Ｃ３０のうち表示されている領域が選択された場合は、表示されている画像の全体が表示されるまで、多視点画像Ｃ３０の表示領域の広さを段階的に拡大する。このため、端末装置１００は、利用者の印象を悪化させることなく、画像Ｃ３１〜Ｃ３５の全体を表示することができるので、各画像Ｃ３１〜Ｃ３５に係る情報の訴求効果を向上させることができる。
【０１９３】
また、端末装置１００は、多視点画像Ｃ３０の表示領域の広さを拡大した際に、ウェブページＣ１０又は多視点画像Ｃ３０に対する操作が行われた場合は、多視点画像Ｃ３０のうち表示される領域を、表示されている画像とは異なる画像が配置された領域に切替える。例えば、端末装置１００は、画面上に表示された画像Ｃ３１を画像Ｃ３２に切替える。このため、端末装置１００は、各画像Ｃ３１〜Ｃ３５に係る情報の訴求効果を向上させることができる。
【０１９４】
また、端末装置１００は、３次元の各軸方向に異なる視点位置から被写体を撮影した複数の画像を含む多視点画像Ｃ５０のうち、いずれかの画像が配置された領域を表示する。このため、端末装置１００は、利用者が希望する位置から被写体を撮影した画像を表示することができる結果、多視点画像Ｃ５０に係る情報の訴求効果を向上させることができる。
【０１９５】
また、端末装置１００は、選択されると、ランディングページ等の所定のコンテンツに遷移可能な画像Ｃ３１〜Ｃ３５を表示する。このため、端末装置１００は、多視点画像Ｃ３０に興味を持った利用者をランディングページに導くことができるので、多視点画像Ｃ３０やランディングページに係る情報の訴求効果を向上させることができる。
【０１９６】
また、端末装置１００は、画像Ｃ２１または画像Ｃ２２が選択された場合は、所定の画像または所定の動画像を含むコンテンツＣ２６を新たに表示する。このため、端末装置１００は、多視点画像Ｃ２０やコンテンツＣ２６に係る情報の訴求効果を向上させることができる。
【０１９７】
また、端末装置１００は、多視点画像Ｃ２０が選択された場合は、多視点画像Ｃ２０に含まれる画像Ｃ２１〜Ｃ２５よりも表示サイズが大きい画像であって、被写体に対する視点位置がそれぞれ異なる画像Ｃ３１〜Ｃ３５を含む多視点画像Ｃ３０を取得し、多視点画像Ｃ３０のうち画像Ｃ３１が配置された領域を表示する。そして、端末装置１００は、ウェブページＣ１０又は多視点画像Ｃ３０に対する操作に応じて、多視点画像Ｃ３０のうち表示される領域を、画像Ｃ３１が配置された領域から画像Ｃ３２が配置された領域に切替える。このため、端末装置１００は、ウェブページＣ１０が表示されるまでの時間を短縮しつつ、多視点画像Ｃ２０に興味を持った利用者に対し、多視点画像Ｃ２０よりもより多くの情報を伝達できる多視点画像Ｃ３０を表示することができる。この結果、端末装置１００は、利用者の印象を悪化させることなく、多視点画像Ｃ２０、Ｃ３０に係る情報の訴求効果を向上させることができる。
【０１９８】
また、端末装置１００は、画像Ｃ２１を、画像Ｃ２１とは被写体に対する視点位置が異なり、かつ、当該被写体と視点位置との距離が同程度である画像Ｃ２２に切替える。このため、端末装置１００は、利用者の視野内に視差を生じさせる結果、利用者の興味を多視点画像Ｃ２０に向けさせることができる。
【０１９９】
また、端末装置１００は、画像Ｃ４１を、画像Ｃ４１とは被写体に対する視点位置が異なり、かつ、被写体における時系列が異なる画像Ｃ４２に切替える。このため、端末装置１０は、各時系列において異なる視点位置から、動く被写体を表示するといった複雑な対応で、多視点画像Ｃ４０を表示することができる。このため、端末装置１０は、利用者の興味を多視点画像Ｃ４０に向けさせる結果、多視点画像Ｃ４０に係る情報の訴求効果を向上させることができる。
【０２００】
また、端末装置１００は、スクロール操作に従って、ウェブページＣ１０をスクロールさせるとともに、画像Ｃ２１を画像Ｃ２２に切替える。このように、端末装置１００は、ウェブページＣ１０をスクロール操作させた際に、表示変更処理を行う結果、多視点画像Ｃ２０に興味が無かった利用者に対し、多視点画像Ｃ２０への気づきを与えるので、多視点画像Ｃ２０に係る情報の訴求効果を向上させることができる。
【０２０１】
また、端末装置１００は、ウェブページＣ１０が有する所定の領域（例えば、タイル）に画像Ｃ３１を配置して表示し、スクロール操作に従ってウェブページＣ１０をスクロールさせるとともに、画像Ｃ３１が表示される画面上の位置を変更しつつ、画像Ｃ３１を画像Ｃ３２に切替える。このため、端末装置１００は、ウェブページＣ１０が有するレイアウトに揃えて、多視点画像Ｃ３０を表示する場合にも、利用者の意識を多視点画像Ｃ３０に向けさせる結果、多視点画像Ｃ３０に係る情報の訴求効果を向上させることができる。
【０２０２】
一方、端末装置１００は、スクロール操作に従ってウェブページＣ１０をスクロールさせるとともに、多視点画像Ｃ２０が表示される位置を変更することなく、画像Ｃ２１を画像Ｃ２２に切替えてもよい。かかる場合、例えば、端末装置１００は、多視点画像Ｃ２０をバナーとして表示することができる。
【０２０３】
また、端末装置１００は、画像Ｃ３１の一部を表示し、ウェブページＣ１０の端が表示されている際にスクロール操作が行われた場合は、スクロール操作に従って、画像Ｃ３１の表示領域の広さを拡大する。このため、端末装置１００は、画像Ｃ３１に係る情報の訴求効果を向上させることができる。
【０２０４】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２０５】
また、上記してきた「部（section、module、unit）」は、「手段」や「回路」などに読み替えることができる。例えば、配信部は、配信手段や配信回路に読み替えることができる。
【符号の説明】
【０２０６】
１  配信システム
１０  広告主端末
２０  広告配信サーバ
２１、３１、１１０  通信部
２２  記憶部
２３、３３、１５０  制御部
２４  広告データベース
２５  入稿受付部
２６  要求受付部
２７  広告選択部
２８  配信部
３０  コンテンツ配信サーバ
３２  コンテンツ記憶部
３４  受付部
３５  配信部
１００  端末装置
１２０  入力部
１３０  出力部
１４０  物理センサ
１５１  要求部
１５２  操作制御部
１５３  表示制御部
１５４  表示部
１５５  検知部
１５６  切替部
【要約】
【課題】情報の訴求効果を向上させる
【解決手段】本願に係る情報表示装置は、本願に係る情報表示装置は、所定のコンテンツと、所定の被写体を含む第１画像とを表示する表示部と、前記コンテンツに対する操作に応じて、当該コンテンツの表示態様を変更するとともに、前記第１画像を、前記被写体に対する視点位置が前記第１画像とは異なる第２画像に切替える切替部とを有することを特徴とする。このため、例えば、情報表示装置の一例である端末装置１００は、ウェブページＣ１０のスクロール操作に応じて、ウェブページＣ１０とともに表示した画像Ｃ２１を、画像Ｃ２１と視点位置が異なる画像Ｃ２２に切替える。この結果、端末装置１００は、利用者の視野内に視差を生じさせ、利用者の興味を多視点画像Ｃ２０に向けることができる結果、多視点画像Ｃ２０に係る情報の訴求効果を向上させることができる。
【選択図】図１【図１】
0005830153.tif 000002
【図２】
0005830153.tif 000003
【図３】
0005830153.tif 000004
【図４】
0005830153.tif 000005
【図５】
0005830153.tif 000006
【図６】
0005830153.tif 000007
【図７】
0005830153.tif 000008
【図８】
0005830153.tif 000009
【図９】
0005830153.tif 000010
【図１０】
0005830153.tif 000011
【図１１】
0005830153.tif 000012
【図１２】
0005830153.tif 000013
【図１３】
0005830153.tif 000014
【図１４】
0005830153.tif 000015
【図１５】
0005830153.tif 000016